(57)【要約】      （修正有）【課題】ワイヤレスユーザ機器（ＵＥ）において干渉を管理するための方法を提供する。【解決手段】マクロセル基地局１０５−ｆはＵＥ１１５−ａとアクティブに通信しており、基地局１０５−ｆとＵＥ１１５−ａとの間の送信は、ＴＤＤ  ＵＬ／ＤＬ構成内のアップリンクサブフレームまたはダウンリンクサブフレームなどの第１のサブフレーム構成または特定のＳＳＦ構成を有する第１のサブフレームの送信を含む。近隣セル基地局１０５−ｇはＵＥ１１５−ｂとアクティブに通信することができ、基地局１０５−ｇとＵＥ１１５−ｂとの間の送信は、ＴＤＤ  ＵＬ／ＤＬ構成内のアップリンクサブフレームまたはダウンリンクサブフレームなどの第２のサブフレーム構成または特定のＳＳＦ構成を有する第２のサブフレームの送信を含む。【選択図】図５
2019083524.tif 000002
【特許請求の範囲】
【請求項１】
ユーザ機器（ＵＥ）によって実行されるワイヤレス通信のための方法であって、
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を備える方法。
【請求項２】
干渉管理動作を前記修正することは、前記第１のサブフレームの少なくとも一部分の間に少なくとも部分的に前記干渉管理動作を省略することを備える、請求項１に記載の方法。
【請求項３】
前記第１のサブフレーム構成は、ダウンリンクサブフレーム、アップリンクサブフレーム、または特殊サブフレームのうち１つであり、前記第２のサブフレーム構成は、前記ダウンリンクサブフレーム、前記アップリンクサブフレーム、または前記特殊サブフレームのうち１つである、請求項１に記載の方法。
【請求項４】
前記干渉管理動作が少なくとも部分的に省略されるべき１つまたは複数のサブフレームの少なくとも一部分を識別する情報を前記基地局から受信すること
をさらに備える、請求項１に記載の方法。
【請求項５】
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、請求項４に記載の方法。
【請求項６】
前記判断することは、
少なくとも部分的に前記第１のサブフレームと重複する、前記近隣基地局のための第２のサブフレームがダウンリンク送信またはアップリンク送信のうち１つまたは複数を備えるかどうか検出すること
を備える、請求項１に記載の方法。
【請求項７】
前記検出することは、
前記近隣基地局の基準信号を受信することと、
前記基準信号に関連付けられた情報に基づいて、前記近隣基地局のための前記第２のサブフレームがダウンリンク送信および／またはアップリンク送信を備えるかどうか判断することと
を備える、請求項６に記載の方法。
【請求項８】
前記第２のサブフレーム構成は、前記近隣基地局のリソースブロックと、前記近隣基地局のすべての送信されるサブフレームが前記リソースブロック内の情報に一致するという仮定とに基づいて判断される、請求項６に記載の方法。
【請求項９】
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
をさらに備える、請求項１に記載の方法。
【請求項１０】
干渉管理動作を前記修正することは、前記ＳＳＦのための前記第３のサブフレームの少なくとも一部分の間に少なくとも部分的に前記干渉管理動作を省略することを備える、請求項９に記載の方法。
【請求項１１】
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を行うためのコードを備える、非一時的なコンピュータ可読媒体。
【請求項１２】
干渉管理動作を修正するための前記コードは、前記第１のサブフレームの少なくとも一部分の間に少なくとも部分的に前記干渉管理動作を省略するためのコードを備える、請求項１１に記載のコンピュータプログラム製品。
【請求項１３】
前記第１のサブフレーム構成は、ダウンリンクサブフレーム、アップリンクサブフレーム、または特殊サブフレームのうち１つであり、前記第２のサブフレーム構成は、ダウンリンクサブフレーム、アップリンクサブフレーム、または特殊サブフレームのうち１つである、請求項１１に記載のコンピュータプログラム製品。
【請求項１４】
前記干渉管理動作が少なくとも部分的に省略されるべき１つまたは複数のサブフレームの少なくとも一部分を識別する情報を前記基地局から受信すること
をさらに備える、請求項１１に記載のコンピュータ可読媒体。
【請求項１５】
少なくとも部分的に前記第１のサブフレームと重複する、前記近隣基地局のための第２のサブフレームがダウンリンク送信またはアップリンク送信のうち１つまたは複数を備えるかどうか検出する
ためのコードをさらに備える、請求項１１に記載のコンピュータ可読媒体。
【請求項１６】
検出するための前記コードは、
前記近隣基地局の基準信号を受信し、
前記基準信号に関連付けられた情報に基づいて、前記近隣基地局のための前記第２のサブフレームがダウンリンク送信および／またはアップリンク送信を備えるかどうか判断する
ためのコードをさらに備える、請求項１５に記載のコンピュータ可読媒体。
【請求項１７】
前記第２のサブフレーム構成は、前記近隣基地局のリソースブロックと、前記近隣基地局のすべての送信されるサブフレームが前記リソースブロック内の情報に一致するという仮定とに基づいて判断される、請求項１５に記載のコンピュータ可読媒体。
【請求項１８】
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
を行うためのコードをさらに備える、請求項１１に記載のコンピュータ可読媒体。
【請求項１９】
干渉管理動作を前記修正することは、前記ＳＳＦのための前記第３のサブフレームの少なくとも一部分の間に少なくとも部分的に前記干渉管理動作を省略することを備える、請求項１８に記載のコンピュータ可読媒体。
【請求項２０】
第１のサブフレーム構成の第１のサブフレームを基地局から受信するための手段と、
近隣基地局が前記第１のサブフレームの間に第２のサブフレーム構成に従って動作しているかどうか判断するための手段と、前記第２のサブフレーム構成は前記第１のサブフレーム構成とは異なる、
前記判断に基づいて、前記第１のサブフレームのための干渉管理動作を修正するための手段と
を備える、ワイヤレス通信のための装置。
【請求項２１】
干渉管理動作を修正するための前記手段は、前記第１のサブフレームの少なくとも一部分の間に少なくとも部分的に前記干渉管理動作を省略するための手段を備える、請求項２０に記載の装置。
【請求項２２】
前記第１のサブフレーム構成は、ダウンリンクサブフレーム、アップリンクサブフレーム、または特殊サブフレームのうち１つであり、前記第２のサブフレーム構成は、ダウンリンクサブフレーム、アップリンクサブフレーム、または特殊サブフレームのうち１つである、請求項２０に記載の装置。
【請求項２３】
前記干渉管理動作が少なくとも部分的に省略されるべき１つまたは複数のサブフレームの少なくとも一部分を識別する情報を前記基地局から受信するための手段
をさらに備える、請求項２０に記載の装置。
【請求項２４】
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、請求項２３に記載の装置。
【請求項２５】
少なくとも部分的に前記第１のサブフレームと重複する、前記近隣基地局のための第２のサブフレームがダウンリンク送信またはアップリンク送信のうち１つまたは複数を備えるかどうか検出するための手段
をさらに備える、請求項２０に記載の装置。
【請求項２６】
検出するための前記手段は、
前記近隣基地局の基準信号を受信するための手段と、
前記基準信号に関連付けられた情報に基づいて、前記近隣基地局のための前記第２のサブフレームがダウンリンク送信および／またはアップリンク送信を備えるかどうか判断するための手段と
を備える、請求項２５に記載の装置。
【請求項２７】
前記第２のサブフレーム構成は、前記近隣基地局のリソースブロックと、前記近隣基地局のすべての送信されるサブフレームが前記リソースブロック内の情報に一致するという仮定とに基づいて判断される、請求項２５に記載の装置。
【請求項２８】
基地局によって実行されるワイヤレス通信のための方法であって、
ユーザ機器（ＵＥ）に関連付けられた第１のサブフレームのための第１のサブフレーム構成を識別することと、
近隣基地局が前記第１のサブフレームの間に、前記第１のサブフレーム構成とは異なる第２のサブフレーム構成に従って動作していると判断することと、
前記判断に基づいて、前記第１のサブフレームのための干渉動作を修正することと
を備える方法。
【請求項２９】
干渉管理動作を前記修正することは、干渉管理修正のための前記第１のサブフレームを識別する情報を前記ＵＥに送信することを備える、請求項２８に記載の方法。
【請求項３０】
前記情報は、サブフレームのサブセットを識別するビットマップを備え、干渉管理動作を前記修正することは、前記第１のサブフレームの少なくとも一部分の間に少なくとも部分的に前記干渉管理動作を省略することを備える、請求項２９に記載の方法。
【発明の詳細な説明】
【技術分野】
【０００１】
相互参照
[0001]本特許出願は、２０１４年３月３１日に出願された、Ｗａｎｇらの「Ｉｎｔｅｒｆｅｒｅｎｃｅ  Ｃａｎｃｅｌｌａｔｉｏｎ／Ｓｕｐｐｒｅｓｓｉｏｎ  ｉｎ  ＴＤＤ  Ｗｉｒｅｌｅｓｓ  Ｃｏｍｍｕｎｉｃａｔｉｏｎｓ  Ｓｙｓｔｅｍｓ」という名称の米国特許出願第１４／２３０，４６４号、および２０１３年４月５日に出願された、Ｗａｎｇらの「Ｉｎｔｅｒｆｅｒｅｎｃｅ  Ｃａｎｃｅｌｌａｔｉｏｎ／Ｓｕｐｐｒｅｓｓｉｏｎ  ｉｎ  ＴＤＤ  Ｗｉｒｅｌｅｓｓ  Ｃｏｍｍｕｎｉｃａｔｉｏｎｓ  Ｓｙｓｔｅｍｓ」という名称の米国仮特許出願第６１／８０９，０７８号の優先権を主張するものである。これらの出願の各々は、本出願の譲受人に譲渡されている。
【背景技術】
【０００２】
[0002]ワイヤレス通信ネットワークは、音声、ビデオ、パケットデータ、メッセージング、放送など、様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのモバイルデバイスに対して通信をサポートできるいくつかの基地局を含むことができる。いくつかの技術では、モバイルデバイスは、アクセス端末、ユーザ機器（ＵＥ）、移動局などと呼ばれることがある。モバイルデバイスは、ダウンリンク（ＤＬ）送信およびアップリンク（ＵＬ）送信を介して基地局と通信することができる。ダウンリンク（すなわち順方向リンク）は基地局からモバイルデバイスへの通信リンクを指し、アップリンク（すなわち逆方向リンク）はモバイルデバイスから基地局への通信リンクを指す。各基地局はカバレージ範囲を有し、このカバレージ範囲は、セルのカバレージエリアと呼ばれることがある。
【０００４】
[0004]セルラー展開では、マクロセルは、農村エリア、郊外エリア、および都市エリアなどの広い領域にサービスを提供するセルを説明するために使用される。よりスモールなセルは、家庭、中小企業、建物、または他の制限された領域で展開され得る。これらのスモールセルは、「ピコセル」または「フェムトセル」と呼ばれることがある。ピコセルおよびフェムトセルは、多くの場合、ブロードバンド接続を介してサービスプロバイダのネットワークに接続される。３ＧＰＰ（登録商標）用語では、これらのセルは、ＵＭＴＳ（ＷＣＤＭＡ（登録商標）、または高速パケットアクセス（ＨＳＰＡ））の場合はホームＮｏｄｅＢ（ＨＮＢ）、ＬＴＥ（登録商標）／ＬＴＥ−Ａネットワークの場合はホームｅＮｏｄｅＢ（ＨｅＮＢ）と呼ばれることがある。いくつかのスモールセルは、セルとの関連付けを有するＵＥによるアクセスを提供し、いくつかの展開では、スモールセルの１つまたは複数のクラスタは、具体的な特定のエリアまたは建物（たとえば、公園、ショッピングモールなど）内でのＵＥによるアクセスを提供することができる。いくつかのスモールセルは、限定加入者グループ（ＣＳＧ）セルと呼ばれることがある制限されたアクセスセルであってよい。ＵＥとセルとの間の具体的な関連付けなしで１つまたは複数のプロバイダネットワークと関連付けられたＵＥへのアクセスを提供するセル（たとえば、マクロセル、ピコセル、フェムトセルなど）は、オープンアクセスセルと呼ばれることがある。
【０００５】
[0005]スモールセルは、一般に、マクロセルよりも低い電力で送信するが、スモールセルからの信号は、ＵＥにおいて、マクロセルから受信される信号と比べて比較的高い信号強度で受信され得る。たとえば、ＵＥが、マクロセルのセルエッジの近くに配置されるが、スモールセルのリモートラジオヘッド（ＲＲＨ）に比較的に近接して配置される場合、ＵＥで受信されるスモールセル信号は、マクロセルから受信される信号と同じくらいの強度であることがあり、マクロセルから受信される信号よりも強いことすらある。ＵＥがマクロセルと通信しており、スモールセルと通信していない例では、ＵＥは、スモールセル信号からの干渉により、マクロセルからの、マクロセルとの通信リンクを確立するための適切な信号を見つけて復号するのが困難であることがある。同様に、マクロセルからの信号は、ＵＥにおいて、スモールセルからの信号と比較して比較的高い強度で受信され得る。いくつかのそのような例では、ＵＥがスモールセルとの通信を確立することが望ましいことがあり、ＵＥは、マクロセル信号からの干渉によりスモールセルとの通信リンクを確立するためのスモールセルからの適切な信号を見つけて復号するのが困難であることがある。
【発明の概要】
【０００６】
[0006]本開示は、一般に、ユーザ機器（ＵＥ）において干渉を管理するための１つまたは複数の改善された方法、システム、および／または装置に関する。ＵＥは、たとえば、第１のサブフレーム構成の第１のサブフレームを基地局から受信し、近隣基地局は第２のサブフレーム構成に従って動作していると判断することができる。ＵＥは、異なるサブフレーム構成に従って動作する近隣基地局を説明する（account for）判断に基づいて第１のサブフレームのための干渉管理動作を修正することができる。いくつかの例では、干渉管理動作を修正することは、たとえば、第１のサブフレームの少なくとも一部分の間に少なくとも部分的に干渉管理動作を省略すること、異なる干渉除去／干渉抑圧（ＩＣ／ＩＳ）を第１のサブフレームもしくはサブフレームの一部分に適用すること、またはこれらの組合せを含むことができる。ＩＣ／ＩＳを修正することは、隣接する基地局通信の１つまたは複数の特性に基づいてよい。
【０００７】
[0007]例示的な実施形態の第１のセットによれば、ＵＥによって実行されるワイヤレス通信のための方法が提供される。この方法は、一般に、第１のサブフレーム構成の第１のサブフレームを基地局から受信することを含む。ＵＥは、近隣基地局が第１のサブフレームの間に第２のサブフレーム構成に従って動作しているかどうか判断することができる。第１のサブフレーム構成と第２のサブフレーム構成は異なってもよい。方法は、判断に基づいて、第１のサブフレームのための干渉管理動作を修正することをさらに備えることができる。
【０００８】
[0008]いくつかの例では、干渉管理動作を修正することは、第１のサブフレームの少なくとも一部分の間に少なくとも部分的に干渉管理動作を省略することを備えることができる。いくつかの例では、干渉管理動作が少なくとも部分的に省略されるべき１つまたは複数のサブフレームの少なくとも一部分を識別する情報が、基地局から受信され得る。第１のサブフレーム構成および第２のサブフレーム構成は、ダウンリンクサブフレーム、アップリンクサブフレーム、または特殊サブフレームのうち１つとすることができる。
【０００９】
[0009]いくつかの例では、方法は、干渉管理動作が少なくとも部分的に省略されるべき１つまたは複数のサブフレームの少なくとも一部分を識別する情報を基地局から受信することをさらに備えることができる。この情報は、近隣基地局のための時分割二重（ＴＤＤ）アップリンク／ダウンリンク（ＵＬ／ＤＬ）構成の指示と、サブフレームのサブセットとを備えることができる。干渉は、近隣基地局のためのＴＤＤ  ＵＬ／ＤＬ構成に基づいて判断され得る。送信。
【００１０】
[0010]いくつかの例では、少なくとも１つの近隣基地局が第１のサブフレームの間に第２のサブフレーム構成に従って動作しているかどうか判断することは、少なくとも部分的に第１のサブフレームと重複する、近隣基地局からの第２のサブフレームがダウンリンク送信またはアップリンクのうち１つまたは複数を備えるかどうか検出することを備える。さらに別の例では、検出することは、近隣基地局の基準信号を受信することと、基準信号に関連付けられた情報に基づいて、近隣基地局のための第２のサブフレームがダウンリンク送信および／またはアップリンク送信を備えるかどうか判断することとを備えることができる。また別に、第２のサブフレーム構成は、近隣基地局のリソースブロックと、近隣基地局のすべての送信されるサブフレームがリソースブロック内の情報に一致するという仮定とに基づいて判断され得る。
【００１１】
[0011]第１の例示的な実施形態のさらに別の例では、方法は、第３のサブフレーム構成の第３のサブフレームを基地局から受信することと、第３のサブフレームは第１の特殊サブフレーム（ＳＳＦ）を備える、近隣基地局が第３のサブフレームの間に第４のサブフレーム構成に従って動作していると判断することとを備えることができる。方法は、第３のサブフレーム構成が第４のサブフレーム構成と同じであることに応じて、第３のサブフレームのための干渉管理動作を修正することをさらに備えることができる。いくつかの例では、干渉管理動作を修正することは、１つまたは複数のＳＳＦのための第３のサブフレームの少なくとも一部分の間に少なくとも部分的に干渉管理動作を省略することを備えることができる。
【００１２】
[0012]例示的な実施形態の第２のセットによれば、非一時的なコンピュータ可読媒体が説明される。この非一時的なコンピュータ可読媒体は、第１のサブフレーム構成の第１のサブフレームを基地局から受信するためのコードを含むことができる。このコードは、近隣基地局が第１のサブフレームの間に第２のサブフレーム構成に従って動作しているかどうか判断するためのコードを含むことができる。第１のサブフレーム構成と第２のサブフレーム構成は異なってもよい。コードは、判断に基づいて、第１のサブフレームのための干渉管理動作を修正するためのコードを備えることができる。いくつかの例では、コンピュータ可読媒体またはその上に格納されたコードは、例示的な実施形態の第１のセットに関して上記で説明されたワイヤレス通信を管理するための方法の１つまたは複数の態様をさらに実施することができる。
【００１３】
[0013]例示的な実施形態の第３のセットによれば、ワイヤレス通信のための装置が説明される。この装置は、第１のサブフレーム構成の第１のサブフレームを基地局から受信するための手段を備えることができる。この装置は、近隣基地局が第１のサブフレームの間に第２のサブフレーム構成に従って動作しているかどうか判断するための手段を備えることができる。第１のサブフレーム構成と第２のサブフレーム構成は異なってもよい。この装置は、判断に基づいて、第１のサブフレームのための干渉管理動作を修正するための手段をさらに備えることができる。いくつかの例では、この装置は、例示的な実施形態の第１のセットに関して上記で説明されたワイヤレス通信を管理するための方法の１つまたは複数の態様をさらに実施することができる。
【００１４】
[0014]例示的な実施形態の第４のセットによれば、基地局によって実行されるワイヤレス通信のための方法が説明される。この方法は、少なくとも１つのＵＥに関連付けられた第１のサブフレームのための第１のサブフレーム構成を識別することと、近隣基地局は、第１のサブフレームの間に、第１のサブフレーム構成とは異なる第２のサブフレーム構成に従って動作していると判断することとを備えることができる。この方法は、判断に基づいて、第１のサブフレームのための干渉管理動作を修正することをさらに備えることができる。
【００１５】
[0015]いくつかの例では、干渉管理動作を修正することは、干渉管理修正のための第１のサブフレームを識別する情報をＵＥに送信することを備える。この情報は、サブフレームのサブセットを識別するビットマップを備えることができる。干渉管理動作を修正することは、第１のサブフレームの少なくとも一部分の間に少なくとも部分的に干渉管理動作を省略することを備えることができる。
【００１６】
[0016]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００１７】
[0017]以下の図面を参照することにより、本発明の性質および利点のさらなる理解が得られ得る。添付の図において、同様の構成要素または特徴は同じ参照ラベルを有し得る。さらに、同じタイプの様々な構成要素は、ダッシュによる参照ラベルと、それらの同様の構成要素同士を区別する第２のラベルとを見ることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１８】
【図１】[0018]種々の実施形態による、ワイヤレス通信システムの一例を示す図。
【図２】[0019]種々の実施形態による、例示的なワイヤレス通信システムにおけるＴＤＤアップリンク−ダウンリンク構成を示す表。
【図３】[0020]様々な実施形態による、例示的なワイヤレス通信システムにおける特殊サブフレーム構成の図。
【図４】[0021]様々な実施形態による、セルクラスタに従ってグループ化されたセルを有する例示的なワイヤレス通信システムを示す図。
【図５】[0022]様々な実施形態による、ＵＥと近隣セルとの間の例示的なセルクラスタと潜在的な干渉とを示す図。
【図６】[0023]様々な実施形態による、ＵＥの関連付けられたＩＣ／ＩＳ動作を有する近隣基地局の例示的なＴＤＤフレームの図。
【図７】[0024]様々な実施形態による、ＵＥの関連付けられたＩＣ／ＩＳ動作を有する近隣基地局の例示的なＵＬ／ＤＬサブフレームおよび特殊サブフレームの別の図。
【図８】[0025]様々な実施形態による基地局の一例のブロック図。
【図９】[0026]様々な実施形態によるユーザ機器の一例のブロック図。
【図１０】[0027]様々な実施形態によるＩＣ／ＩＳ修正モジュールの一例のブロック図。
【図１１】[0028]様々な実施形態による、基地局とモバイルデバイスとを含むワイヤレス通信システムの一例のブロック図。
【図１２】[0029]様々な実施形態によるＩＣ／ＩＳ修正のための方法の流れ図。
【図１３】[0030]様々な実施形態によるＩＣ／ＩＳ修正のための別の方法の流れ図。
【図１４】[0031]様々な実施形態によるＩＣ／ＩＳ修正のための別の方法の流れ図。
【図１５】[0032]様々な実施形態によるＩＣ／ＩＳ修正のための別の方法の流れ図。
【図１６】[0033]様々な実施形態によるＩＣ／ＩＳ修正のための別の方法の流れ図。
【発明を実施するための形態】
【００１９】
[0034]本開示の様々な態様は、干渉管理動作を提供する。この干渉管理動作としては、たとえば、近隣セル送信の干渉除去／干渉抑圧（ＩＣ／ＩＳ）があり得る。ＵＥは、たとえば、第１のサブフレーム構成の第１のサブフレーム内でダウンリンク送信を基地局から受信し、近隣基地局は第２のサブフレーム構成に従って動作していると判断することができる。ＵＥは、異なるサブフレーム構成に従って動作する近隣基地局を説明する判断に基づいて第１のサブフレームにおいてダウンリンク送信のためのＩＣ／ＩＳ動作を修正することができる。ＩＣ／ＩＳ動作を修正することは、たとえば、ＩＣ／ＩＳ動作を省略すること、サブフレームまたはサブフレームの一部分に異なるＩＣ／ＩＳを適用すること、またはこれらの組合せを含むことができる。ＩＣ／ＩＳを修正することは、近隣基地局通信の１つまたは複数の特性に基づいてよい。
【００２０】
[0035]いくつかの実施形態では、ＵＥは、時分割二重（ＴＤＤ）通信において送信される１つまたは複数のサブフレームと関連付けられたＩＣ／ＩＳ動作を修正することができる。そのようなＩＣ／ＩＳ修正は、たとえば、近隣基地局のためのＴＤＤアップリンク／ダウンリンク（ＵＬ／ＤＬ）構成に基づいてよい。近隣基地局のためのＴＤＤ  ＵＬ／ＤＬ構成は、ＵＥおよびそのサービング基地局のＴＤＤ  ＵＬ／ＤＬ構成と異なってもよい。いくつかの実施形態では、サービング基地局および／または近隣基地局のＴＤＤ  ＵＬ／ＤＬ構成は適応型であってよく、比較的頻繁に変化することがある。そのような場合、ＵＬ干渉を含むサブフレームのサブセットは、近隣基地局およびサービング基地局のための特定のＴＤＤ  ＵＬ／ＤＬ構成に基づいて判断されてよい。他の実施形態では、ＵＥは、時分割二重（ＴＤＤ）通信においてで送信される１つまたは複数の特殊サブフレームと関連付けられたＩＣ／ＩＳ動作を修正することができる。そのようなＩＣ／ＩＳ修正は、たとえば、サービング基地局と近隣基地局との間の特殊サブフレームの異なるアップリンク部分およびダウンリンク部分に基づいてよい。
【００２１】
[0036]本明細書において説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムのために使用され得る。「システム」および「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を利用することができる。一般に、ワイヤレス通信は、無線アクセス技術（ＲＡＴ）と呼ばれる１つまたは複数の無線通信技術の標準化された実施態様に従って行われる。無線アクセス技術を実施するワイヤレス通信システムまたはネットワークは無線アクセスネットワーク（ＲＡＮ）と呼ばれることがある。
【００２２】
[0037]ＣＤＭＡ技法を利用する無線アクセス技術の例は、ＣＤＭＡ２０００、ユニバーサル地上波無線アクセス（ＵＴＲＡ：Universal Terrestrial Radio Access）などを含む。ＣＤＭＡ２０００は、ＩＳ−２０００、ＩＳ−９５、ＩＳ−８５６の標準規格を含む。ＩＳ−２０００リリース０およびＡは、通例、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ）と、ＣＤＭＡの他の変形形態とを含む。ＴＤＭＡシステムの例は、モバイル通信用グローバルシステム（ＧＳＭ（登録商標）：Global System for Mobile Communications）の種々の実施態様を含む。ＯＦＤＭおよび／またはＯＦＤＭＡを利用する無線アクセス技術の例は、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどを含む。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる団体からの文書に記載されている。ＣＤＭＡ２０００およびＵＭＢは、「第３世代パートナーシッププロジェクト２」（３ＧＰＰ２：3rd Generation Partnership Project 2）と呼ばれる団体からの文書に記載されている。本明細書において説明される技法は、上記のシステムおよび無線技術、ならびに他のシステムおよび無線技術に使用され得る。
【００２３】
[0038]したがって、以下の説明は、例を与えるものであり、特許請求の範囲に記載された範囲、適用可能性、または構成を限定するものではない。本開示の趣旨および範囲から逸脱することなく、論じられる要素の機能および構成において変更が行われ得る。種々の実施形態は、必要に応じて、種々の手順または構成要素を省略、置換、または追加することができる。たとえば、説明される方法は、説明される順序とは異なる順序で実行されてもよく、種々のステップが追加、省略、または組み合わせられてもよい。また、いくつかの実施形態に関して説明される特徴は、他の実施形態において組み合わせられ得る。
【００２４】
[0039]最初に図１を参照すると、図が、ワイヤレス通信システム１００の一例を示している。ワイヤレス通信システム１００は、基地局（またはセル）１０５と、ユーザ機器（ＵＥ）１１５と、コアネットワーク１３０とを含む。基地局１０５は、種々の実施形態においてコアネットワーク１３０または基地局１０５の一部であり得る基地局コントローラ（図示せず）の制御下で、ＵＥ１１５と通信することができる。基地局１０５は、バックホールリンク１３２を通してコアネットワーク１３０と制御情報および／またはユーザデータを通信することができる。バックホールリンクは、有線バックホールリンク（たとえば、銅、ファイバーなど）および／またはワイヤレスバックホールリンク（たとえば、マイクロ波など）とすることができる。実施形態では、基地局１０５は、有線またはワイヤレス通信リンクであり得るバックホールリンク１３４を介して互いと直接または間接的に通信することができる。ワイヤレス通信システム１００は、複数のキャリア（異なる周波数の波形信号）上での動作をサポートすることができる。マルチキャリア送信機は、複数のキャリア上で同時に被変調信号を送信することができる。たとえば、各通信リンク１２５は、上記で説明された種々の無線技術に従って変調されたマルチキャリア信号とすることができる。各被変調信号は、異なるキャリア上で送られる場合があり、制御情報（たとえば、基準信号、制御チャネルなど）、オーバーヘッド情報、データなどを搬送することができる。
【００２５】
[0040]基地局１０５は、１つまたは複数の基地局アンテナを介してＵＥ１１５とワイヤレス通信することができる。基地局１０５のサイトの各々は、それぞれの地理的カバレージエリア１１０に通信カバレージを与えることができる。いくつかの実施形態では、基地局１０５は、送受信基地局、無線基地局、アクセスポイント、無線トランシーバ、基本サービスセット（ＢＳＳ）、拡張サービスセット（ＥＳＳ）、ＮｏｄｅＢ、ｅＮｏｄｅＢ（ｅＮＢ）、ホームＮｏｄｅＢ、ホームｅＮｏｄｅＢ、または何らかの他の適切な用語として呼ばれることがある。基地局のための地理的カバレージエリア１１０は、カバレージエリアの一部分のみを構成するセクタ（図示せず）に分割され得る。ワイヤレス通信システム１００は、異なるタイプの基地局１０５（たとえば、マクロ基地局、マイクロ基地局、および／またはピコ基地局）を含むことができる。異なる技術のためのカバレージエリアが重複する場合がある。
【００２６】
[0041]ワイヤレス通信システム１００は同期動作または非同期動作をサポートすることができる。同期動作の場合、ｅＮＢは同様のフレームタイミングを有することができ、異なるｅＮＢからの送信が概ね時間的に合わせられ得る。非同期動作の場合、ｅＮＢは異なるフレームタイミングを有することができ、異なるｅＮＢからの送信は時間的に合わせられないことがある。実施形態では、いくつかのｅＮＢ１０５は同期している場合あるが、他のｅＮＢは非同期である場合がある。
【００２７】
[0042]ＵＥ１１５はワイヤレス通信システム１００全体にわたって散在し、各デバイスは固定またはモバイルとすることができる。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の適切な用語で呼ばれることもある。ＵＥ１１５は、セルラー電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などとすることができる。通信デバイスは、マクロ基地局、ピコ基地局、フェムト基地局、リレー基地局などと通信することができる。
【００２８】
[0043]ワイヤレス通信システム１００において示される通信リンク１２５は、ＵＥ１１５から基地局１０５へのアップリンク（ＵＬ）送信および／または基地局１０５からＵＥ１１５へのダウンリンク（ＤＬ）送信を含むことができる。ダウンリンク送信は順方向リンク送信と呼ばれることもあり、アップリンク送信は逆方向リンク送信と呼ばれることもある。種々の実施形態では、通信リンク１２５は、トラフィックフレーム内の双方向トラフィックを搬送するＴＤＤキャリアである。
【００２９】
[0044]実施形態では、ワイヤレス通信システム１００はＬＴＥ／ＬＴＥ−Ａネットワークである。ＬＴＥ／ＬＴＥ−Ａネットワークでは、基地局１０５を示すために、一般に、発展型ＮｏｄｅＢ（ｅＮＢ）という用語が使用され得る。ワイヤレス通信システム１００は、異なるタイプのｅＮＢが種々の地理的領域にカバレージを与える、異種ＬＴＥ／ＬＴＥ−Ａネットワークとすることができる。たとえば、各ｅＮＢ１０５は、マクロセル、スモールセル（たとえば、ピコセルまたはフェムトセル）、および／または他のタイプのセルに通信カバレージを与えることができる。マクロセルは一般に、相対的に大きい地理的エリア（たとえば、半径数キロメートル）をカバーし、ネットワークプロバイダのサービスに加入しているＵＥによる無制限のアクセスを許可することができる。スモールセルは一般に、相対的に小さい地理的エリアをカバーすることになり、ＵＥによる無制限のアクセスまたはＵＥ（たとえば、限定加入者グループ（ＣＳＧ：closed subscriber group）中のＵＥ、その住宅内のユーザのためのＵＥなど）への制限付きアクセスを許可することができる。いくつかの実施形態では、スモールセルは、特定の地理的エリアまたは建物をカバーするために、クラスタをなして構成され得る。マクロセルのためのｅＮＢはマクロｅＮＢと呼ばれる場合がある。スモールセルのためのｅＮＢは、たとえば、リモートラジオヘッド（ＲＲＨ）、ピコｅＮＢ、フェムトｅＮＢ、またはホームｅＮＢと呼ばれることがある。ｅＮＢは、１つまたは複数の（たとえば、２つ、３つ、４つなどの）セルをサポートすることができる。
【００３０】
[0045]ＬＴＥ／ＬＴＥ−Ａネットワークアーキテクチャによるワイヤレス通信システム１００は、発展型パケットシステム（ＥＰＳ：Evolved Packet System）１００と呼ばれる場合がある。ワイヤレス通信システム１００は、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）（たとえば、コアネットワーク１３０）と、ホーム加入者サーバ（ＨＳＳ：Home Subscriber Server）と、事業者のＩＰサービスとを含むことができる。ＥＰＳは、他の無線アクセス技術を使用して他のアクセスネットワークと相互接続することができる。たとえば、ワイヤレス通信システム１００は、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続することができる。ＵＥ１１５のモビリティおよび／または負荷分散をサポートするために、ワイヤレス通信システム１００は、ソースｅＮＢ１０５とターゲットｅＮＢ１０５との間のＵＥ１１５のハンドオーバをサポートすることができる。ワイヤレス通信システム１００は、同じＲＡＴのｅＮＢ１０５および／または基地局間（たとえば、他のＥ−ＵＴＲＡＮネットワーク）間のＲＡＴ内ハンドオーバと、異なるＲＡＴのｅＮＢおよび／または基地局間（たとえば、Ｅ−ＵＴＲＡＮからＣＤＭＡへ）のＲＡＴ間ハンドオーバとをサポートすることができる。ワイヤレス通信システム１００はパケット交換サービスを提供できるが、当業者が容易に認識するように、本開示全体にわたって提示される様々な概念は、回線交換サービスを提供するネットワークに拡張され得る。
【００３１】
[0046]Ｅ−ＵＴＲＡＮは、ｅＮＢ１０５を含むことができ、ＵＥ１１５に対してユーザプレーンプロトコル終端と制御プレーンプロトコル終端とを与えることができる。ｅＮＢ１０５は、バックホールリンク１３４（たとえば、Ｘ２インターフェース）を介して他のｅＮＢ１０５に接続され得る。ｅＮＢ１０５は、ＵＥ１１５にコアネットワーク１３０へのアクセスポイントを与えることができる。ｅＮＢ１０５は、バックホールリンク１３２（たとえば、Ｓ１インターフェース）によってコアネットワーク１３０に接続され得る。コアネットワーク１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイ（図示せず）とを含むことができる。一般に、ＭＭＥはベアラと接続管理とを提供することができる。すべてのユーザＩＰパケットはサービングゲートウェイを通して転送される場合があり、サービングゲートウェイ自体はＰＤＮゲートウェイに接続され得る。ＰＤＮゲートウェイはＩＰアドレス割振りならびに他の機能をＵＥに与えることができる。ＰＤＮゲートウェイはＩＰネットワークおよび／または事業者のＩＰサービスに接続され得る。これらの論理ノードは別々の物理ノードにおいて実現され得るか、または１つもしくは複数の論理ノードが単一の物理ノードにおいて組み合わせられ得る。ＩＰネットワーク／事業者のＩＰサービスは、インターネット、イントラネット、ＩＰマルチメディアサブシステム（ＩＭＳ：IP Multimedia Subsystem）、および／またはパケット交換（ＰＳ：Packet-Switched）ストリーミングサービス（ＰＳＳ：PS Streaming Service）を含むことができる。
【００３２】
[0047]ＵＥ１１５は、たとえば、多入力多出力（ＭＩＭＯ：Multiple Input Multiple Output）、多地点協調（ＣｏＭＰ：Coordinated Multi-Point）、または他の方式を通して、複数のｅＮＢ１０５と協力して通信するために構成され得る。ＭＩＭＯ技法は、複数のデータストリームを送信するためにマルチパス環境を利用するために、基地局上の複数のアンテナおよび／またはＵＥ上の複数のアンテナを使用する。ＣｏＭＰは、ＵＥのための全体的な送信品質を改善し、ならびにネットワークとスペクトル利用とを増加させるために、いくつかのｅＮＢによる送信と受信とを動的に協調させるための技法を含む。一般に、ＣｏＭＰ技法は、ＵＥ１１５のための制御プレーン通信とユーザプレーン通信とを協調させるために、基地局１０５間の通信のためにバックホールリンク１３２および／または１３４を利用する。ＣｏＭＰのための協調エリアは、たとえば、ｅＮＢ内ＣｏＭＰまたはｅＮＢ間ＣｏＭＰを利用する均一な展開を含むことがある。ｅＮＢ間ＣｏＭＰを使用する様々な展開は、協調エリア内に配置されたサービスｅＮＢと１つまたは複数のリモートラジオヘッド（ＲＲＨ）とを利用することができる。マクロセルおよび１つまたは複数のＲＲＨ（たとえば、スモールセル基地局）がＣｏＭＰ協調エリアを形成することができる不均一なＣｏＭＰ展開も利用され得る。そのようなスモールセルＲＲＨおよびマクロセルは、異なる物理層セル識別子（ＰＣＩ）を用いて構成されてもよいし、同じＰＣＩを用いて構成され、共通物理ダウンリンク制御チャネル（ＰＤＣＣＨ）制御領域を有してもよい。
【００３３】
[0048]様々な開示され実施形態のうちのいくつかに適応することができる通信ネットワークは、階層化プロトコルスタックに従って動作するパケットベースネットワークとすることができる。ユーザプレーンでは、ベアラまたはパケットデータコンバージェンスプロトコル（ＰＤＣＰ：Packet Data Convergence Protocol）レイヤにおける通信はＩＰベースとすることができる。無線リンク制御（ＲＬＣ：Radio Link Control）レイヤが、論理チャネルを介して通信するためにパケットセグメンテーションとリアセンブリとを実行することができる。媒体アクセス制御（ＭＡＣ：Medium Access Control）レイヤが、優先度処理と、トランスポートチャネルへの論理チャネルの多重化とを実行することができる。ＭＡＣレイヤはまた、リンク効率を改善するためにＭＡＣレイヤにおいて再送信を行うためにハイブリッドＡＲＱ（ＨＡＲＱ）も使用することができる。制御プレーンでは、無線リソース制御（ＲＲＣ）プロトコルレイヤは、ユーザプレーンデータのために使用される、ＵＥとネットワークとの間のＲＲＣ接続の確立と構成と保守とを提供することができる。物理レイヤでは、トランスポートチャネルが物理チャネルにマッピングされ得る。
【００３４】
[0049]ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。隣接するサブキャリア間の間隔は固定することができ、サブキャリアの総数（Ｋ）はシステム帯域幅によって決まる場合がある。たとえば、Ｋは、１．４、３、５、１０、１５、または２０メガヘルツ（ＭＨｚ）の（ガード帯域を伴う）対応するシステム帯域幅の場合にそれぞれ、７２、１８０、３００、６００、９００、または１２００に等しくすることができ、サブキャリア間隔は１５キロヘルツ（ＫＨｚ）である。システム帯域幅はまた、部分帯域に区分され得る。たとえば、部分帯域は１．０８ＭＨｚをカバーすることができ、１、２、４、８または１６の部分帯域があり得る。
【００３５】
[0050]ワイヤレス通信システム１００は、複数のキャリア上での動作をサポートすることができ、キャリアアグリゲーション（ＣＡ）またはマルチキャリア動作と呼ばれる場合もある。キャリアは、コンポーネントキャリア（ＣＣ：component carrier）、チャネルなどと呼ばれることもある。「キャリア」、「ＣＣ」、および「チャネル」という用語は、本明細書では互換的に使用され得る。ダウンリンクのために使用されるキャリアはダウンリンクＣＣと呼ばれることがあり、アップリンクのために使用されるキャリアはアップリンクＣＣと呼ばれることがある。ＵＥは、キャリアアグリゲーションのために、複数のダウンリンクＣＣと１つまたは複数のアップリンクＣＣとで構成され得る。ｅＮＢは、１つまたは複数のダウンリンクＣＣ上でデータと制御情報とをＵＥに送信することができる。ＵＥは、１つまたは複数のアップリンクＣＣ上でデータと制御情報とをｅＮＢに送信することができる。
【００３６】
[0051]キャリアは、双方向通信ＦＤＤ（たとえば、対を成すスペクトルリソース）、ＴＤＤ（たとえば、不対のスペクトルリソース）を送信することができる。ＦＤＤ（たとえば、フレーム構造タイプ１）およびＴＤＤ（たとえば、フレーム構造タイプ２）のためのフレーム構造が定義される場合がある。各フレーム構造は無線フレーム長Ｔf＝３０７２００・Ｔs＝１０ｍｓを有することができ、それぞれ長さ１５３６００・Ｔs＝５ｍｓの２つの半フレームを含むことができる。各半フレームは、長さ３０７２０・Ｔs＝１ｍｓの５つのサブフレームを含むことができる。
【００３７】
[0052]ＴＤＤフレーム構造の場合、各サブフレームは、ＵＬトラフィックまたはＤＬトラフィックを搬送することができ、特殊サブフレーム（「Ｓ」）は、ＤＬ送信からＵＬ送信との間で切り替わるために使用され得る。無線フレーム内のＵＬサブフレームおよびＤＬサブフレームの割振りは、対称または非対称とすることができ、半静的に再構成され得る（たとえば、バックホールを介したＲＲＣメッセージなど）。特殊サブフレームは、何らかのＤＬトラフィックおよび／またはＵＬトラフィックを搬送することができ、ＤＬトラフィックとＵＬトラフィックとの間にガード期間（ＧＰ）を含むことができる。ＵＬトラフィックからＤＬトラフィックへの切替えは、特殊サブフレーム、またはＵＬサブフレームとＤＬサブフレームとの間のＧＰを使用せずに、ＵＥにおいてタイミングアドバンスを設定することによって達成され得る。フレーム周期（たとえば、１０ｍｓ）またはフレーム周期の半分（たとえば、５ｍｓ）に等しい切替点周期性を有するＵＬ／ＤＬ構成がサポートされ得る。たとえば、ＴＤＤフレームは１つまたは複数の特殊フレームを含むことができ、特殊フレーム間の期間がフレームのためのＴＤＤ  ＤＬ−ＵＬスイッチポイント周期性を判断することができる。ＬＴＥ／ＬＴＥ−Ａの場合、表２００において表  図２に示されているように、ＤＬサブフレームを４０％と９０％との間で与える７つの異なるＵＬ−ＤＬ構成が定義される。表２００に示されているように、２つの切替周期性、すなわち、５ｍｓおよび１０ｍｓがある。５ｍｓ切替周期性をもつ構成の場合は、フレームごとに２つの特殊サブフレームがあり、１０ｍｓ切替周期性をもつ構成の場合は、フレームごとに１つの特殊サブフレームがある。これらの構成のうちのいくつかは対称であり、同数のアップリンクスロットとダウンリンクスロットとを有するが、いくつかは非対称であり、異なる数のアップリンクスロットとダウンリンクスロットとを有する。たとえば、４つのアップリンクサブフレームと４つのダウンリンクサブフレームとをもつＵＬ／ＤＬ構成１は対称であり、ＵＬ／ＤＬ構成５はダウンリンクスループットに有利であり、ＵＬ／ＤＬ構成０はアップリンクスループットに有利である。
【００３８】
[0053]基地局によって使用される特定のＴＤＤ  ＵＬ／ＤＬ構成は、特定のカバレージエリアについてのユーザ要件に基づくことができる。たとえば、再び図１を参照すると、地理的カバレージエリア１１０中の相対的に多数のユーザが、ユーザが送信しているよりも多くのデータを受信している場合には、関連する基地局１０５のためのＵＬ／ＤＬ構成は、ダウンリンクスループットに有利であるように選択される場合がある。同様に、カバレージ中の相対的に多数のユーザが１１０で、ユーザが受信しているよりも多くのデータを送信している場合には、関連する基地局１０５のためのＵＬ／ＤＬ構成は、アップリンクスループットに有利であるように選択される場合があり、基地局１０５は、ＵＬ−ＤＬ構成０を使用して動作することができる。いくつかの態様では、基地局１０５は、たとえば、拡張干渉管理およびトラフィック適応（ｅＩＭＴＡ：enhanced Interference Management and Traffic Adaptation）技法などに従って、たとえばフレームごとに、ＴＤＤ  ＵＬ／ＤＬ構成を動的に再構成することを可能にすることができる。そのような場合、再構成されるＵＥ１１５は、再構成メッセージを受信し、再構成されたＵＬ／ＤＬ構成を使用して、その後のＴＤＤフレーム上のサブフレームを送信／受信することができる。そのような機能は、瞬間トラフィック状況に従って再構成されたＵＥ１１５ための比較的高速な切替えを可能にし、ＵＥ１１５と基地局１０５との間の拡張パケットスループットを提供することができる。ＵＥ１１５は、たとえば、初期ＴＤＤ  ＵＬ／ＤＬ構成を使用して基地局１０５と通信することができる。しかしながら、この初期ＴＤＤ  ＵＬ／ＤＬ構成は、後の時点で、効率的なパケットスループットにとって好ましくなくなる場合がある。たとえば、ユーザが、比較的大量のデータを受信することから比較的大量のデータを送信することに切り替える場合がある。そのような状況では、アップリンク送信データとダウンリンク送信データとの比が著しく変化する場合があり、その結果として、以前は好ましかったＵＬ／ＤＬ構成が望ましくないＵＬ／ＤＬ構成になることがある。近隣セルが異なるＴＤＤ  ＵＬ／ＤＬ構成に従って動作する状況では、ＴＤＤサブフレーム中に発生し得る異なるアップリンク送信またはダウンリンク送信のために、さらなる干渉が存在する場合がある。様々な実施形態は、同じキャリア周波数および／または隣接するキャリア周波数の近隣セルによって使用されるＴＤＤ  ＵＬ／ＤＬ構成の潜在的な違いに基づいてＵＥにおけるＩＣ／ＩＳ動作を修正するための技法を提供する。その上、セルがＵＥのＴＤＤ  ＵＬ／ＤＬ構成を動的に変え得る状況では、様々な実施形態は、ＴＤＤ  ＵＬ／ＤＬ再構成に基づいてＵＥにおけるＩＣ／ＩＳ動作を動的に修正するための技法を提供する。
【００３９】
[0054]上記で図２に関して説明されたように、各ＴＤＤ  ＵＬ／ＤＬ構成は、１つまたは２つの特殊サブフレーム（ＳＳＦ）を含む。図３は、ＴＤＤフレームならびに２つのＳＳＦ３０５および３１０のタイミング図３００を示す。タイミング図３００では、ダウンリンクサブフレーム３１５は「Ｄ」によって示され、アップリンクフレーム３２０は「Ｕ」によって示され、ＳＳＦ３０５および３１０は「Ｓ」によって示されている。フレーム内の「Ｘ」は、そのフレームは特定のＴＤＤ  ＵＬ／ＤＬ構成に基づくダウンリンクフレームまたはアップリンクフレームのいずれかであってよいことを示す。ＳＳＦ３０５および３１０は、３つのフィールドすなわちダウンリンクパイロットタイムスロット（ＤｗＰＴＳ）４２５とガード期間（ＧＰ）４３０とアップリンクパイロットタイムスロット（ＵｐＰＴＳ）４３５とを含むことができ、ダウンリンク情報はＤｗＰＴＳ４２５の一部分の間に送信されてよく、アップリンク情報は、ＵｐＰＴＳ４３５のポートの間に送信されてよい。その上、様々な実施形態では、アップリンク情報またはダウンリンク情報が、ＳＳＦ３０５、３１０のうち１つまたは複数の一部分の間に送信されることがあり、図３の例は、ＳＳＦ３０５のＤｗＰＴＳ部分にダウンリンク送信３４０と、ＳＳＦ３１０のＵｐＰＴＳ部分にアップリンク送信３４５とを含む。認識されるように、図３に示されるＴＤＤ  ＵＬ／ＤＬ構成は、５ｍｓのＴＤＤ周期、すなわち１０ｍｓのフレーム周期の半分（たとえば、ＴＤＤ  ＵＬ／ＤＬ構成０、１、２、６）を有することができる。１０ｍｓの周期を有するＴＤＤ構成は、類似のＤｗＰＴＳ部分と、ＧＰ部分と、ＵｐＰＴＳ部分とを含む。
【００４０】
[0055]ＳＳＦ３０５および３１０を再度参照すると、上記のように、そのようなＳＳＦは、アップリンク送信３４５またはダウンリンク送信３４０を含むことができる。そのような送信３４０、３４５は、たとえば、ＴＤＤフレーム内で動的ＴＤＤ  ＵＬ／ＤＬ再構成のために送信されるプリアンブル系列を含むことができる。たとえば、ダウンリンク送信３４０は、プリアンブル系列として送られ得るＴＤＤ  ＵＬ／ＤＬ再構成メッセージをＤｗＰＴＳ３２５に含むことができ、アップリンク送信３４５は、サウンディング基準信号（ＳＲＳ：sounding reference signal）をＵｐＰＴＳ３３５に含むことができる。ＴＤＤ切替周期が無線フレーム周期に等しい場合、各ＴＤＤフレームは単一の特殊サブフレームのみを有し、いくつかの例では、アップリンク情報とダウンリンク情報の両方が同じ特殊サブフレーム内で送信されることがある。近隣セルが異なるＴＤＤ  ＵＬ／ＤＬ構成に従って動作する状況では、さらなる干渉が存在することがある。様々な実施形態は、ＴＤＤ  ＵＬ／ＤＬ構成の潜在的な違いに基づいてＵＥにおけるＩＣ／ＩＳ動作を修正するための技法を提供する。近隣セルが異なるＴＤＤ  ＵＬ／ＤＬ構成に従って動作する状況では、ＳＳＦ３０５および３１０は、ＳＳＦ３０５および３１０の部分によって異なるアップリンク特性とダウンリンク特性とを有することがある。これらのサブフレーム内のそのような異なるアップリンク特性およびダウンリンク特性はまた、近隣セルからのさらなる干渉を招くことがある。様々な実施形態は、ＳＳＦのＵＬ／ＤＬ特性の潜在的な違いに基づいてＵＥにおけるＩＣ／ＩＳ動作を修正するための技法を提供する。その上、セルがＵＥのＴＤＤ  ＵＬ／ＤＬ構成を動的に変える、したがって、ＳＳＦのＵＬ／ＤＬ特性を変更することができる状況では、様々な実施形態は、ＴＤＤ  ＵＬ／ＤＬ再構成に基づいてＵＥにおけるＩＣ／ＩＳ動作を動的に修正するための技法を提供する。
【００４１】
[0056]図４は、セルクラスタに従ってグループ化されたｅＮＢを有する例示的なネットワーク４００を示す。ネットワーク４００は、たとえば、図１に示されるワイヤレス通信システム１００の態様を示すことができる。セルクラスタは１つまたは複数のｅＮＢを含むことができ、セルクラスタ内のｅＮＢは様々なタイプ（たとえば、マクロセルおよびスモールセル）とすることができる。図４の例に示されるように、ネットワーク４００は、セルクラスタ４２０−ａと４２０−ｂと４２０−ｃとを含む。セルクラスタ４２０−ａは、マクロセルｅＮＢ１０５−ａとスモールセルｅＮＢ１０５−ｂとを含むことができ、セルクラスタ４２０−ｂは、スモールセルｅＮＢ１０５−ｃを含むことができ、セルクラスタ４２０−ｃは、スモールセルｅＮＢ１０５−ｄと１０５−ｅとを含むことができる。セルクラスタ４２０は静的に、または半静的に規定される場合があり、クラスタ４２０内の各ｅＮＢ１０５は、そのクラスタの他のｅＮＢを認識している場合がある。セルクラスタ４２０−ａ、４２０−ｂ、および／または４２０−ｃはＴＤＤキャリアを展開することができ、各セルクラスタ内のＴＤＤ  ＵＬ／ＤＬ構成は同期され得る。図４の例では、マクロセルクラスタ４２０−ａは、高電力ｅＮＢ１０５−ａと、ｅＮＢ１０５−ａのカバレージエリア内に配置されるスモールセルリモートラジオヘッド（ＲＲＨ）１０５−ｂとを含むことができる。他のスモールセルクラスタ４２０−ｂおよび４２０−ｃは、ｅＮＢ１０５−ａのカバレージエリアの外部に配置され得る。場合によっては、スモールセルは、スモールセルｅＮＢ１０５−ｃとマクロセルｅＮＢ１０５−ａとの間のバックホールリンク４０５などによってマクロセルと結合されることがある。他の場合では、クラスタ４２０−ｃなどのスモールセルクラスタはマクロセルと結合されないことがあり、スモールセルｅＮＢ１０５−ｄと１０５−ｅはバックホールリンク４１０によって結合されることがある。
【００４２】
[0057]セルクラスタ内の同期したＴＤＤ  ＵＬ／ＤＬ構成のためのトラフィック適応は、クラスタのセル間のＴＤＤ  ＵＬ／ＤＬ再構成の協調によって実行され得る。半静的な（たとえば、数十フレーム程度の）ＴＤＤ  ＵＬ／ＤＬ再構成は、（たとえば、Ｓ１および／またはＸ２インターフェースなどを介して）ｅＮＢの間での制御プレーンメッセージの交換によって実行され得る。いくつかの態様では、急速に変化するトラフィック条件は、特定のＵＥ１１５のためのＵＬ−ＤＬ構成を動的に再構成することを可能にすることによって適応され得る。そのような動的な再構成は、制御チャネルシグナリングなどによって、任意のｅＮＢ１０５からのシグナリングによってＵＥ１１５に送信され、１つまたは複数の後続のＴＤＤフレームに対して適用され得る。そのような再構成はｅＩＭＴＡによって成し遂げられる場合があり、ｅＩＭＴＡは、いくつかのネットワークで実施され得る。そのようなネットワークでは、ｅＩＭＴＡ準拠ＵＥは、ＴＤＤフレーム内の特定のサブフレームがアップリンクサブフレームからダウンリンクサブフレームに切り替えられ得ることを示す動的再構成メッセージを受信することができる。いくつかのネットワークでは、適応レートは、１０ｍｓなど、相対的に高速であり、したがって、いくつかの状況では、フレームごとにＴＤＤ  ＵＬ−ＤＬ構成を変更する能力を提供することができる。
【００４３】
[0058]しかしながら、前述のように、ＵＥがサービングｅＮＢと通信していることができ、１つまたは複数の近隣ｅＮＢが異なるＴＤＤ  ＵＬ／ＤＬ構成に従って動作している状況では、ＵＥによって用いられ得るＩＣ／ＩＳ技法に従って説明され得ない近隣基地局とサービング基地局との間の干渉が発生する場合がある。図５は、スモールセル基地局１０５−ｇからの送信がマクロセル基地局１０５−ｆとＵＥ１１５−ａとの間の通信に対する干渉を引き起こすことがある例示的なネットワーク５００を示す。ネットワーク５００は、たとえば、図１に示されるワイヤレス通信システム１００および／または図４に示されるネットワーク４００の態様を示すことができる。この例では、マクロセル基地局１０５−ｆは、地理的カバレージエリア１１０−ｄを有し、ＵＥ１１５−ａとＵＥ１１５−ｄとにサービスを提供することができる。スモールセル基地局１５０−ｇは、地理的カバレージエリア１１０−ｅを有し、ＵＥ１１５−ｂと１１５−ｃとにサービスを提供することができる。この例では、マクロセル基地局１０５−ｆはＵＥ１１５−ａとアクティブに通信しており、基地局１０５−ｆとＵＥ１１５−ａとの間の送信は、ＴＤＤ  ＵＬ／ＤＬ構成内のアップリンクサブフレームまたはダウンリンクサブフレームなどの第１のサブフレーム構成または特定のＳＳＦ構成を有する第１のサブフレームの送信を含むことができる。近隣セル基地局１０５−ｇはＵＥ１１５−ｂとアクティブに通信することができ、基地局１０５−ｇとＵＥ１１５−ｂとの間の送信は、ＴＤＤ  ＵＬ／ＤＬ構成内のアップリンクサブフレームまたはダウンリンクサブフレームなどの第２のサブフレーム構成または特定のＳＳＦ構成を有する第２のサブフレームの送信を含むことができる。
【００４４】
[0059]場合によっては、第２のサブフレーム構成は、第１のサブフレーム構成と異なることがあり、ＵＥ１１５−ａで受信される、５０５で示される干渉を招くことがある。いくつかの例では、ＵＥ１１５−ａで受信される近隣基地局１０５−ｇからの干渉５０５は、比較的強い（たとえば、セル間干渉を引き起こすのに十分なほど）ことがあり、またはサービング基地局１０５−ｆからの送信よりも強い（たとえば、より高い信号対干渉雑音比（ＳＩＮＲ）など）ことすらある。たとえば、ＵＥ１１５−ａは、近隣基地局１０５−ｇに近接して、およびサービング基地局１０５−ｆの地理的カバレージエリア１１０−ｄのセルエッジの近くに配置され得る。場合によっては、ＵＥ１１５−ａは、送信を同期させ復号するために使用されるサービング基地局１０５−ｆからの信号を見つけることすら困難であることがある。たとえば、ＵＥ１１５−ａは、干渉５０５のために、システム情報（たとえば、ＰＢＣＨなど）を搬送する同期信号（たとえば、一次同期信号（ＰＳＳ）、二次同期信号（ＳＳＳ）など）および／またはチャネルを検出するのが困難であることがある。
【００４５】
[0060]ＵＥ１１５−ａは、サービング基地局１０５−ｆとの通信を確立することに関連して開始される確立された干渉除去または干渉抑圧（ＩＣ／ＩＳ）動作に従って、干渉管理動作を実行することができる。いくつかの実施形態では、サービング基地局１０５−ｆは、近隣基地局１０５−ｇの信号を抑圧および／もしくは除去する際に、ならびに／または近隣基地局１０５−ｇの信号を検出および／もしくは復号するために、ＵＥ１１５−ａによって使用される干渉除去情報を送信することができる。サービング基地局１０５−ｆは、たとえば、サービング基地局１０５−ｆおよび／もしくは近隣基地局１０５−ｇの信号の送信電力を示す情報（たとえば、トラフィック対パイロット電力比など）、サービング基地局１０５−ｆおよび／もしくは近隣基地局１０５−ｇの信号がどのように符号化されたか示す情報（たとえば、ＣＳＧセル仮想ＩＤなど）、ならびに／またはサービング基地局１０５−ｆおよび／もしくは近隣基地局１０５−ｇの送信がどのように割り振られるかに関する情報（たとえば、ＣＦＩなど）を送信することができる。いくつかの実施形態では、基地局１０５−ｆおよび１０５−ｇは、干渉信号を抑圧および／または除去するためにＵＥによって使用できるパラメータの固定セットに従って動作することができる。たとえば、基地局１０５−ｆおよび１０５−ｇは、ＴＰＲ値の固定セット、仮想ＩＤの固定セット、固定ＣＦＩなどに従って動作することができる。いくつかの実施形態では、基地局１０５−ｆおよび１０５−ｇのための仮想セルＩＤは、サービング基地局１０５−ｆの物理セルＩＤとの所定の関係に従うことができる。
【００４６】
[0061]いくつかの例では、ＵＥ１１５−ａは、干渉管理支援情報を受信することができる。この支援情報および／または干渉除去情報は、ネットワーク上での登録の前またはＲＲＣ接続を確立する前にＵＥ１１５−ａによって受信できるシステム情報メッセージ内で送信され得る。ＵＥ１１５−ａは、基地局１０５−ｇとのＲＲＣ接続を登録または確立せずに干渉除去情報を受信することがある。たとえば、ＵＥ１１５−ａは、干渉５０５の一部分を抑圧および／または除去するために、干渉抑圧（ＩＳ）、最小平均２乗誤差（ＭＭＳＥ）干渉阻止、マルチユーザ検出（ＭＵＤ）、同時最尤度（ＭＬ）検出、シンボルレベル干渉除去（ＳＬＩＣ：symbol-level interference cancellation）、コードワードレベル干渉除去（ＣＷＩＣ：codeword-level interference cancellation）、および／または他の干渉除去技法を使用することができる。いくつかの実施形態では、さらなる干渉除去情報は、ＵＥ１１５−ａがより高度な干渉管理技法を適用することを可能にすることができる。たとえば、ＳＬＩＣでは、送信を符号化するために使用されるコーディング方式を考慮に入れることなく、可能性が最も高い送信ビットがシンボルごとに独立して推定される。ＵＥ１１５−ａは、送信（たとえば、ＰＢＣＨ、ＰＤＳＣＨ、ＰＤＣＣＨなど）を符号化するために基地局１０５−ｇによって使用されるコーディング方式を考慮に入れることによって、ＣＷＩＣを適用するために干渉除去情報を使用することを可能にすることができる。場合によっては、干渉５０５の改善された除去を生成し得るＣＷＩＣを使用する再構築された干渉信号は、信頼性がより高いことがある。
【００４７】
[0062]近隣基地局１０５−ｇとＵＥ１１５−ｂとの間の変更または再構成された通信の場合、干渉５０５は、ＵＥ１１５−ａによって使用される任意の以前のＩＣ／ＩＳ情報において説明される干渉とは異なってよい。様々な実施形態によれば、ＵＥ１１５−ａは、近隣基地局１０５−ｇの異なる第２のサブフレーム構成の判断に基づいて、第１のサブフレームのための干渉管理動作を修正することができる。たとえば、第２のサブフレーム構成は、以前に、第２のサブフレーム構成内のアップリンク送信に変更されるダウンリンク送信を含んでいた可能性がある。ＵＥ１１５−ａは、近隣基地局１０５−ｇのそのような第２のサブフレーム構成を説明するために干渉動作を修正することができる。いくつかの例では、干渉管理動作を修正することは、ＩＣ／ＩＳ動作を修正することを備えることがある。
【００４８】
[0063]たとえば、図６を参照すると、例示的なワイヤレス通信システム６００が示されており、ワイヤレス通信システム６００では、サービングセル１０５−ｈは、ＴＤＤフレーム６０５のためのＴＤＤ  ＵＬ／ＤＬ構成に従ってＵＥ１１５−ｅと通信することができ、近隣セル１０５−ｉは干渉通信を有することができる。セル１０５−ｈおよび１０５−ｉならびにＵＥ１１５−ｅは、たとえば、図１に示されるワイヤレス通信システム１００および／または図４〜図５に示されるネットワーク４００もしくは５００の態様を示すことができる。近隣セル１０５−ｉは、いくつかの例では、ＴＤＤフレーム６１５のための異なるＴＤＤ  ＵＬ／ＤＬ構成に従って動作することができる。ＵＥ１１５−ｅは、６１０で示されるＩＣ／ＩＳ動作を実行し、サブフレーム３および８のための異なる構成に基づいてＩＣ／ＩＳ動作を修正することができる。たとえば、近隣セル１０５−ｉは、以前に、異なるＴＤＤ  ＵＬ／ＤＬ構成に従って動作していた可能性があり、ＴＤＤフレーム６１５のＴＤＤ  ＵＬ／ＤＬ構成に再構成されることがある。ＵＥ１１５−ｅは、したがってサブフレーム３および８のために示されるように修正されることが必要なＩＣ／ＩＳ動作を実行していた可能性がある。いくつかの実施形態では、ＩＣ／ＩＳ動作を修正することは、近隣セル１０５−ｉがフレーム６１５のＴＤＤ構成に従って動作していることが判断されるとき、第１のサブフレームの間に送信された近隣セル１０５−ｉからのアップリンク部分のためのＩＣ／ＩＳ動作を省略することを含むことができる。
【００４９】
[0064]いくつかの実施形態では、サービングセル１０５−ｈは、ＩＣ／ＩＳ動作が省略されるべき１つまたは複数のサブフレームの少なくとも一部分を識別する情報をＵＥ１１５−ｅに提供することができる。単一の近隣セル１０５−ｉが図示されているが、２つ以上のそのような近隣セルが存在してもよく、他の近隣セルに関連付けられた潜在的な干渉信号を説明するために類似の動作が実行されてよい。いくつかのさらなる実施形態では、サービングセル１０５−ｈは、近隣セル１０５−ｉのためのＴＤＤ  ＵＬ／ＤＬ構成の指示を含む情報をＵＥ１１５−ｅに提供することができ、ＵＥ１１５−ｅは、ＵＬ干渉を含むサブフレームを判断するために、この情報を使用することができる。
【００５０】
[0065]いくつかの実施形態によれば、ＵＬ送信のためのＩＣ／ＩＳ修正は、ＵＬ  ＤＭ−ＲＳ検出を介してＵＥ１１５−ｅによって検出され、および／またはＵＥ１１５−ｅによる、近隣セル１０５−ｉからのアップリンク許可の判断によって促進され得る。そのような実施形態では、ＵＥ１１５−ｅは、近隣セル１０５−ｉのＰＤＣＣＨを復号することができる。このＰＤＣＣＨは、近隣セル１０５−ｉにおけるＵＬ許可のための情報を含み、この情報から、ＰＵＳＣＨのための周期シフトｎ＿ｄｍｒｓ＾２が、他のＰＵＳＣＨ関連情報とともに判断可能である。さらに、ＰＵＳＣＨ復調基準信号（ＤＭ−ＲＳ）系列のための周期シフトが式α＝２πｎCS／１２に基づいて導出でき、ここで、
【００５１】
【数１】
2019083524.tif 000003
【００５２】
、ここで、ｎ(1)DMRSはセル固有であり、近隣セル１０５−ｉによるシステム情報ブロック（ＳＩＢ）内の周期シフトブロードキャストを使用してインデックスが付されたルックアップテーブルから判断され得、ｎ(2)DMRSはＵＥ固有であり、ダウンリンク制御情報（ＤＣＩ）内の周期シフトを使用してインデックスが付されたルックアップテーブルから判断され得、ｎPN（ｎs）は、タイムスロット番号および物理層セル識別情報（ＰＣＩ）に依存する疑似ランダム系列を使用して生成される、ように、ＵＥ１１５−ｅは、ｎ＿ｄｍｒｓ＾１（セル固有パラメータ）とｎ＿ＰＮ（ＰＣＩまたは仮想セルＩＤ、スロットインデックスなどに基づく）とをさらに検出することができ、またはそれに示した可能性がある。この周期シフト情報を使用すると、可能なＰＵＳＣＨ系列（グループホッピングおよび系列シフトホッピングを受けやすい）と組み合わせて、ＰＵＳＣＨのためのＤＭ−ＲＳが検出可能である。いくつかの実施形態によれば、ＵＥはまた、ＰＵＳＣＨのための可能なＤＭ−ＲＳ系列について（たとえば、サービングセル１０５−ｈから）知らされてもよいし、および／または可能であってもよく（ｎ＿ｄｍｒｓ＿２、ｎ＿ｐｒｓ、およびｎ＿ｄｍｒｓ＿１）、そのため、ＵＥ１１５−ｅは、ＰＵＳＣＨがＰＲＢ内に存在するかどうか判断し得る。さらなる実施形態では、ＵＥ１１５−ｅは、サービングセル１０５−ｈなどからの、可能なＰＵＳＣＨリソース割り当てタイプ、ホッピングタイプ（使用可能／使用不能、使用可能な場合は、どのタイプか）、変調順序などの情報がさらに支援されることがある。
【００５３】
[0066]いくつかの実施形態によれば、アップリンク送信に関連する情報は、近隣セル１０５−ｉのＰＵＣＣＨ送信に基づいて判断され得る。いくつかのそのような実施形態では、系列／周期シフトに関して上記で説明されたものなどの類似の情報／検出が実行され得る。さらに、ＵＥ１１５−ｅは、たとえば、サービングセル１０５−ｈからの通信などによって、それにＰＵＣＣＨ（周期的、非周期的、ＡＣＫ／ＮＡＫ対ＣＱＩ対ＳＲなど）のタイプをさらに示した可能性がある。さらに他の実施形態では、近隣セル１０５−ｉに関するサウンディング基準信号（ＳＲＳ）情報が判断され得る。ＳＲＳの場合、系列／周期シフトに関して上記で説明されたものなどの類似の情報／検出は、ＳＲＳのためのサブフレーム、非周期的ＳＲＳ対周期的ＳＲＳ、および／またはＳＲＳポートの数などを判断するために実行され得る。同様に、近隣セル１０５−ｉに関する物理ランダムアクセスチャネル（ＰＲＡＣＨ）情報が判断され得る。ＰＲＡＣＨフォーマット、ＰＲＡＣＨ周波数位置、ＰＲＡＣＨサブフレーム（ＵｐＰＴＳを含む）などが（たとえば、サービスセル１０５−ｈによって）示されてもよいし、ＵＥ１１５−ｅによって検出されてもよい。そのようにして、近隣セル１０５−ｉに関連付けられたアップリンク情報が判断され得、ＩＣ／ＩＳは、そのような判断に基づいて修正され得る。
【００５４】
[0067]図６の例は、ダウンリンクサブフレームまたはアップリンクサブフレームのための修正されたＩＣ／ＩＳ動作を含むが、干渉を招き得る送信をＳＳＦが含む場合、そのようなＳＳＦにおいて類似の動作が実行され得る。たとえば、先に論じられたように、ＳＳＦは、ＳＳＦの間の送信の一部としてアップリンクまたはダウンリンクのデータおよび／または制御を含むことができる。
【００５５】
[0068]図７は、ＵＥ１１５−ｆと通信するサービングセル１０５−ｊと近隣セル１０５−ｋとの間で異なる構成をＳＳＦが有することができるワイヤレス通信システム７００の一例を示す。セル１０５−ｊおよび１０５−ｋならびにＵＥ１１５−ｆは、たとえば、図１に示されるワイヤレス通信システム１００および／または図４〜図５に示されるネットワーク４００もしくは５００の態様を示すことができる。近隣セル１０５−ｋは、いくつかの例では、ＴＤＤフレーム７０５の構成と異なる、ＴＤＤフレーム７１５のためのＴＤＤ  ＵＬ／ＤＬ構成に従って動作することができる。たとえば、サブフレーム３および８のための異なるサブフレーム構成に加えて、サブフレーム１および６のＳＳＦが、異なるサブフレーム構成を有することがある。ＵＥ１１５−ｆは、７１０で示されるＩＣ／ＩＳ動作を実行し、サブフレーム１、３、６、および８の各々のための異なる構成に基づいてＩＣ／ＩＳ動作を修正することができる。たとえば、近隣セル１０５−ｉは、以前に、異なるＴＤＤ  ＵＬ／ＤＬ構成に従って動作していた可能性があり、ＴＤＤフレーム６１５のＴＤＤ  ＵＬ／ＤＬ構成に再構成されることができ、このＴＤＤ  ＵＬ／ＤＬ構成は、サブフレーム１および６のＳＳＦの間に送信される何らかのアップリンク情報も含むことがある。ＵＥ１１５−ｅは、したがってサブフレーム１、３、６、および８のために示されるように修正されることが必要なＩＣ／ＩＳ動作を実行していた可能性がある。いくつかの実施形態では、同様に上記で説明されたように、ＩＣ／ＩＳ動作を修正することは、特殊サブフレーム１および６のアップリンク部分のためのＩＣ／ＩＳ動作を省略することを含むことがあり、また、近隣セル１０５−ｋがＴＤＤフレーム７１５のＴＤＤ構成に従って動作していると判断されたとき、サブフレーム３および８のためのＩＣ／ＩＳ動作を省略することも含むことがある。
【００５６】
[0069]いくつかの実施形態では、同様に上記で説明されたように、サービングセル１０５−ｊは、ＩＣ／ＩＳ動作が省略されるべき特殊サブフレームの一部分を識別し、ならびにＩＣ／ＩＳ動作が省略され得る変更される−サブフレーム３および８を識別する情報をＵＥ１１５−ｆに提供することができる。単一の近隣セル１０５−ｋが図示されているが、２つ以上のそのような近隣セルが存在してもよく、他の近隣セルに関連付けられた潜在的な干渉信号を説明するために類似の動作が実行されてよい。いくつかのさらなる実施形態では、サービングセル１０５−ｊは、近隣セル１０５−ｋのためのＴＤＤ  ＵＬ／ＤＬ構成の指示を含む情報をＵＥ１１５−ｆに提供することができ、ＵＥ１１５−ｆは、ＵＬ干渉を含むサブフレームを判断するために、この情報を使用することができる。
【００５７】
[0070]さらに別の実施形態では、ＵＥ１１５−ｆは、近隣セル１０５−ｋのための任意のサブフレームが何らかのダウンリンク送信および／またはアップリンク送信を含むかどうかブラインド検出することがある。そのような検出は、たとえば、近隣セル１０５−ｋの基準信号を受信し、この基準信号に関連付けられた情報に基づいて、アップリンクと、ダウンリンクと、ダウンリンク送信および／またはアップリンク送信を含むＳＳＦとを含む、サブフレームを判断することによって、成し遂げられ得る。ブラインド検出はまた、たとえば、近隣基地局のリソースブロックを受信し、すべての送信されたサブフレームがリソースブロック内の情報に一致すると想定することによって成し遂げられ得る。
【００５８】
[0071]それに加えて、またはその代わりに、ＵＥ１１５−ｆは、ＩＣ／ＩＳ動作においてＵＥ１１５−ｆを支援するための支援情報を受信することができる。一例では、サービングセル１０５−ｊは、システムブロードキャストメッセージ（たとえば、ＳＩＢなど）内で支援情報を送信することができる。支援情報には、近隣セル１０５−ｋの送信の同期信号、システムブロードキャストチャネル、および／またはページングチャネルを見つけるためにＵＥ１１５−ｆによって使用できる情報があり得る。支援情報には、たとえば、同期インジケータ、ＳＦＮアライメントインジケータ、無線フレーム境界インジケータ、ＳＩＢ／ページング情報、および／または干渉除去サブフレームインジケータもあり得る。同期インジケータ、ＳＦＮアライメントインジケータ、および／または無線フレーム境界インジケータは、いくつかの例では、ＴＤＤフレーム７０５のフレームタイミングと関連してＴＤＤフレーム７１５のフレームタイミングについての情報を提供するために近隣セル１０５−ｋによって送信され得る。たとえば、同期インジケータは、ＴＤＤフレーム７１５がＴＤＤフレーム７０５と同期されることを示すことができる。ＳＦＮアライメントインジケータは、ＴＤＤフレーム７１５がＴＤＤフレーム７０５とＳＦＮアライメントされるかどうか示すことができ、無線フレーム境界インジケータは、ＴＤＤフレーム７０５からの、ＴＤＤフレーム７１５内の無線フレームの相対オフセットを示すことができる。いくつかの実施形態では、サービングセル１０５−ｊおよび／または近隣セル１０５−ｋは干渉除去サブフレームインジケータを送信することができ、この干渉除去サブフレームインジケータは、干渉除去（たとえば、逐次干渉除去（ＳＩＣ）など）を適用するために特定のサブフレーム（たとえば、ＴＤＤフレーム７０５の始まりと関連して）を示すことができる。干渉除去を適用するサブフレームの数を減少させることによって、干渉除去サブフレームインジケータ３６０は、送信の信号および／またはチャネルを正常に復号するための時間および／または電力を減少させることができる。
【００５９】
[0072]図８は、ＩＣ／ＩＳ修正のために構成され得るワイヤレス通信システム８００のブロック図を示す。このワイヤレス通信システム８００は、図１に示されるワイヤレス通信システム１００、図４〜図５に示されるネットワーク４００もしくは５００、および／または図６〜図７のワイヤレス通信システム６００もしくは７００の態様の一例とすることができる。ワイヤレス通信システム８００は基地局１０５−ｌを含むことができる。基地局１０５−ｌは、図１または図４〜図７の基地局１０５の一例とすることができる。基地局１０５−ｌは、アンテナ８４５と、トランシーバモジュール８５０と、メモリ８７０と、プロセッサモジュール８６０とを含むことができ、各々は、（たとえば、１つまたは複数のバス８８０を介して）互いに直接または間接的に通信することができる。トランシーバモジュール８５０は、アンテナ８４５を介して、ＵＥ１１５−ｇと双方向通信するように構成され得る。また、トランシーバモジュール８５０（および／または基地局１０５−ｌの他の構成要素）は、１つまたは複数のネットワークと双方向通信するように構成され得る。場合によっては、基地局１０５−ｌは、ネットワーク通信モジュール８６５を通してコアネットワーク１３０−ａと通信することができる。基地局１０５−ｌは、サービング基地局、近隣基地局、ｅＮｏｄｅＢ基地局、ホームｅＮｏｄｅＢ基地局、ＮｏｄｅＢ基地局、および／またはホームＮｏｄｅＢ基地局の一例とすることができる。
【００６０】
[0073]基地局１０５−ｌは、基地局１０５−ｍおよび基地局１０５−ｎのような他の基地局１０５とも通信することができる。場合によっては、基地局１０５−ｌは、基地局通信モジュール８１５を利用して、１０５−ｍおよび／または１０５−ｎのような他の基地局と通信することができる。いくつかの実施形態では、基地局通信モジュール８１５は、基地局１０５のうちのいくつかの基地局間の通信を提供するために、ＬＴＥワイヤレス通信技術内のＸ２インターフェースを与えることができる。いくつかの実施形態では、基地局１０５−ｌは、コアネットワーク１３０−ａを通して他の基地局と通信することができる。
【００６１】
[0074]メモリ８７０は、ランダムアクセスメモリ（ＲＡＭ）と読取り専用メモリ（ＲＯＭ）とを含むことができる。メモリ８７０はまた、実行されるときに、プロセッサモジュール８６０に本明細書で説明される様々な機能（たとえば、呼処理、データベース管理、メッセージルーティングなど）を実行させるように構成される命令を含むコンピュータ可読、コンピュータ実行可能ソフトウェアコード８７５を記憶することができる。代替的には、コンピュータ実行可能ソフトウェアコード８７５は、プロセッサモジュール８６０によって直接的に実行可能でないことがあるが、たとえば、コンパイルされ実行されるときに、プロセッサに本明細書で説明される機能を実行させるように構成され得る。
【００６２】
[0075]プロセッサモジュール８６０は、インテリジェントハードウェアデバイス、たとえば、中央処理ユニット（ＣＰＵ）、マイクロコントローラ、特定用途向け集積回路（ＡＳＩＣ）などを含むことができる。（１つまたは複数の）トランシーバモジュール８５０は、パケットを変調し、変調されたパケットを送信のために（１つまたは複数の）アンテナ８４５に与え、（１つまたは複数の）アンテナ８４５から受信されたパケットを復調するように構成されるモデムを含むことができる。基地局１０５−ｌのいくつかの例は単一のアンテナ８４５を含むことができるが、基地局１０５−ｌは、キャリアアグリゲーションをサポートすることができる複数のリンクのための複数のアンテナ８４５を含むことができる。たとえば、ＵＥ１１５−ｇとのマクロ通信をサポートするために１つまたは複数のリンクが使用され得る。
【００６３】
[0076]図８のアーキテクチャによれば、基地局１０５−ｌは通信管理モジュール８４０をさらに含むことができる。通信管理モジュール８４０は、他の基地局１０５との通信を管理することができる。例として、通信管理モジュール８４０は、バス８８０を介して基地局１０５−ｌの他の構成要素の一部または全部と通信している基地局１０５−ｌの構成要素とすることができる。代替的には、通信管理モジュール８４０の機能は、トランシーバモジュール８５０の構成要素として、コンピュータプログラム製品として、および／またはプロセッサモジュール８６０の１つもしくは複数のコントローラ要素として実現され得る。
【００６４】
[0077]いくつかの実施形態では、アンテナ８４５に関連するトランシーバモジュール８５０は、基地局１０５−ｌの他の可能な構成要素とともに、基地局１０５−ｌと通信する様々なＵＥのためのＴＤＤ  ＵＬ−ＤＬ構成を判断することができ、また、異なるＴＤＤ  ＵＬ−ＤＬ構成を用いて構成され得るＵＥまたは他の基地局を判断することができる。いくつかの実施形態では、基地局１０５−ｌは、ＵＥ１１５−ｇのためのＴＤＤ  ＵＬ−ＤＬ構成を判断するＴＤＤ  ＵＬ−ＤＬ構成モジュール８２０を含み、近隣セルのＴＤＤ  ＵＬ／ＤＬ構成またはＳＳＦ構成のうち１つまたは複数のための構成を判断することもできる。先に論じられたように、いくつかの態様では、ＵＥ１１５−ｇは、１つまたは複数の近隣セルからの干渉に遭遇することがあり、ＴＤＤ  ＵＬ−ＤＬ構成モジュール８２０は、そのような近隣セルのためのＵＬ−ＤＬ構成および／またはＳＳＦ構成を判断することができる。ある時点において、ＴＤＤ  ＵＬ−ＤＬ構成モジュール８２０は、１つまたは複数の近隣セルのためのＵＬ−ＤＬ構成および／またはＳＳＦ構成が変化したと判断することがあり、その変化が、ＵＥ１１５−ｇにおける干渉を招くことがある。この情報は干渉判断モジュール８２５に提供され得、干渉判断モジュール８２５は、１つまたは複数のサブフレームの少なくとも一部分のためのＩＣ／ＩＳはＵＥ１１５−ｇにおいて修正されるべきであると判断することができる。次いで、干渉修正送信モジュール８３０が、トランシーバモジュール８５０を介してＵＥ１１５−ｇにＩＣ／ＩＳ修正情報を送信することができる。
【００６５】
[0078]ここで図９を参照すると、干渉修正を実行する例示的なワイヤレス通信システム９００が示されている。ワイヤレス通信システム９００は、１つまたは複数のワイヤレスネットワークへのアクセスを受信するために基地局１０５−ｏと通信することができるＵＥ１１５−ｈを含み、図１のワイヤレス通信システム１００、図４〜図５のネットワーク４００もしくは５００、または図６〜図７のワイヤレス通信システム６００もしくは７００の態様の一例であり得る。ＵＥ１１５−ｈは、図１、または図４〜図７のユーザ機器１１５の一例であり得る。ＵＥ１１５−ｈは、（１つまたは複数の）受信機モジュール９１０と（１つまたは複数の）送信機モジュール９１５とに通信可能に結合された１つまたは複数のアンテナ９０５を含み、受信機モジュールと送信機モジュールとはさらに制御モジュール９２０に通信可能に結合される。制御モジュール９２０は、１つまたは複数のプロセッサモジュール９２５と、コンピュータ実行可能ソフトウェアコード９３５を含むことができるメモリ９３０と、干渉管理モジュール９４０とを含むことができる。コンピュータ実行可能ソフトウェアコード９３５は、プロセッサモジュール９２５および／または干渉管理モジュール９４０による実行を目的とし得る。
【００６６】
[0079]（１つまたは複数の）プロセッサモジュール９２５は、インテリジェントハードウェアデバイス、たとえば、中央処理ユニット（ＣＰＵ）、マイクロコントローラ、特定用途向け集積回路（ＡＳＩＣ）などを含むことができる。メモリ９３０は、ランダムアクセスメモリ（ＲＡＭ）と読取り専用メモリ（ＲＯＭ）とを含むことができる。メモリ９３０は、実行されたとき（またはコンパイルされ、実行されたとき）、プロセッサモジュール９２５および／または干渉管理モジュール９４０に本明細書で説明される様々な機能（たとえば、サブフレーム構成判断、およびサブフレームの識別された部分に対するＩＣ／ＩＳ修正）を実行させるように構成される命令を含むコンピュータ可読、コンピュータ実行可能ソフトウェアコード９３５を記憶することができる。干渉管理モジュール９４０は、たとえば、プロセッサモジュール９２５の一部として実現されてもよいし、１つまたは複数の別個のＣＰＵまたはＡＳＩＣを使用して実現されてもよい。送信機モジュール９１５は、上記のように、１つまたは複数のワイヤレス通信ネットワーク（たとえば、Ｅ−ＵＴＲＡＮ、ＵＴＲＡＮなど）との通信を確立するために基地局１０５−ｏ（および／または他の基地局）に送信することができる。同様に上記で説明されたように、干渉管理モジュール９４０は、ＩＣ／ＩＳ修正を必要とする１つまたは複数のサブフレームの１つまたは複数の部分を判断するように構成され得る。いくつかの例では、干渉管理モジュール９４０はまた、上記で説明された例によれば、ＩＣ／ＩＳ修正に関連する情報を基地局１０５−ｏから受信し、１つまたは複数のサブフレームの１つまたは複数の部分に関連付けられたＩＣ／ＩＳ動作を修正するために適切な処置を行うように構成され得る。受信機モジュール９１０は、上記のように、基地局１０５−ｏ（および／または他の基地局）からダウンリンク送信を受信することができる。ユーザ機器１１５−ｈにおいて、ダウンリンク送信が受信され、処理される。ＵＥ１１５−ｈの構成要素は、個別にまたは集合的に、ハードウェア中の適用可能な機能の一部または全部を実行するように構成された１つまたは複数の特定用途向け集積回路（ＡＳＩＣ）を用いて実現され得る。言及されたモジュールの各々は、ＵＥ１１５−ｈの動作に関係する１つまたは複数の機能を実行するための手段であり得る。
【００６７】
[0080]図１０は、ＴＤＤ  ＵＬ−ＤＬ構成判断モジュール１００５とＩＣ／ＩＳ判断モジュール１０１０とＩＣ／ＩＳサブフレーム修正モジュール１０１５とを含む干渉管理モジュール９４０−ａの一例を示す。ＴＤＤ  ＵＬ−ＤＬ構成判断モジュール１００５は、ＴＤＤ  ＵＬ−ＤＬ構成および／またはＳＳＦ構成のうち１つまたは複数を判断することができる。そのような判断は、たとえば、サービング基地局からの情報の受信または構成のブラインド検出によって上記で説明された例に従って行われ得る。ＩＣ／ＩＳ判断モジュール１０１０は、構成情報および／または他の情報（たとえば、支援情報）を受信し、ＵＥにおいて受信される異なるサブフレームに適用されるべきＩＣ／ＩＳを判断することができる。ＩＣ／ＩＳサブフレーム修正モジュール１０１５は、ＩＣ／ＩＳ判断モジュール１０１０の判断に基づいて、１つもしくは複数のサブフレームまたは１つもしくは複数のＳＳＦの一部分のための、ＵＥにおけるＩＣ／ＩＳ動作を修正することができる。干渉管理モジュール９４０−ａの構成要素は、個別にまたは集合的に、ハードウェアにおいて適用可能な機能の一部または全部を実行するように適合された１つまたは複数のＡＳＩＣを用いて実現され得る。言及されたモジュールの各々は、干渉管理モジュール９４０−ａの動作に関係する１つまたは複数の機能を実行するための手段であり得る。
【００６８】
[0081]図１１は、基地局１０５−ｐとＵＥ１１５−ｉとを含むワイヤレス通信システム１１００のブロック図である。このワイヤレス通信システム１１００は、図１に示されるワイヤレス通信システム１００、図４〜図５に示されるネットワーク４００または５００、図６〜図９のワイヤレス通信システム６００、７００、８００、または９００の一例とすることができる。基地局１０５−ｐは、アンテナ１１３４−ａ〜１１３４−ｘを備えることができ、ＵＥ１１５−ｉは、ＵＥアンテナ１１５２−ａ〜１１５２−ｎを備えることができる。基地局１０５−ｐにおいて、送信プロセッサ１１２０がデータソースからデータを受信することができる。
【００６９】
[0082]送信プロセッサ１１２０はデータを処理することができる。送信プロセッサ１１２０はまた、基準シンボルとセル固有基準信号も生成することができる。送信（ＴＸ）ＭＩＭＯプロセッサ１１３０が、適用可能な場合、データシンボル、制御シンボル、および／または基準シンボルに関する空間処理（たとえば、プリコーディング）を実行することができ、出力シンボルストリームを基地局変調器／復調器１１３２−ａ〜１１３２−ｘに与えることができる。各基地局変調器／復調器１１３２は、出力サンプルストリームを入手するために、（たとえば、ＯＦＤＭなどのために）それぞれの出力シンボルストリームを処理することができる。各基地局変調器／復調器１１３２はさらに、ダウンリンク（ＤＬ）信号を入手するために、出力サンプルストリームを処理する（たとえば、アナログに変換し、増幅し、フィルタ処理し、およびアップコンバートする）ことができる。一例では、基地局変調器／復調器１１３２−ａ〜１１３２−ｘからのＤＬ信号は、それぞれ、特定のＴＤＤ  アップリンク／ダウンリンク構成に従って、アンテナ１１３４−ａ〜１１３４−ｘを介して送信され得る。
【００７０】
[0083]ＵＥ１１５−ｉにおいて、ＵＥアンテナ１１５２−ａ〜１１５２−ｎが、基地局１０５−ｐから特定のＴＤＤ  アップリンク／ダウンリンク構成に従ってＤＬ信号を受信することができ、受信された信号を、それぞれＵＥ変調器／復調器１１５４−ａ〜１１５４−ｎに与えることができる。各ＵＥ変調器／復調器１１５４は、入力サンプルを入手するために、それぞれの受信信号を調整する（たとえば、フィルタ処理し、増幅し、ダウンコンバートし、およびデジタル化する）ことができる。各ＵＥ変調器／復調器１１５４はさらに、受信シンボルを入手するために、（たとえば、ＯＦＤＭなどのために）入力サンプルをさらに処理することができる。ＭＩＭＯ検出器１１５６が、すべてのＵＥ変調器／復調器１１５４−ａ〜１１５４−ｎから受信シンボルを入手し、適用可能な場合は受信シンボルに関してＭＩＭＯ検出を実行し、検出されたシンボルを与えることができる。受信プロセッサ１１５８は、検出されたシンボルを処理し（たとえば、復調し、デインターリーブし、および復号し）、検出されたシンボルに対して干渉除去動作および／または干渉抑圧動作を実行し、ＵＥ１１５−ｉのための復号されたデータをデータ出力に提供し、復号された制御情報をプロセッサ１１８０またはメモリ１１８２に提供することができる。プロセッサ１１８０は、上記で説明されたものなど、ＵＥ１１５−ｉのＩＣ／ＩＳ動作を判断および修正し得る干渉管理モジュール９４０−ｂと結合され得る。プロセッサ１１８０は、現在のＴＤＤ  ＵＬ／ＤＬ構成および／または現在のＳＳＦ構成に従ってフレームフォーマッティングを実行することができる。
【００７１】
[0084]アップリンク（ＵＬ）上で、ＵＥ１１５−ｉにおいて、送信プロセッサ１１６４が、データソースからデータを受信し、処理することができる。送信プロセッサ１１６４はまた、基準信号のための基準シンボルを生成することができる。送信プロセッサ１１６４からのシンボルは、適用可能な場合、送信ＭＩＭＯプロセッサ１１６６によってプリコーディングされ、ＵＥ変調器／復調器１１５４−ａ〜１１５４−ｎによってさらに（たとえば、ＳＣ−ＦＤＭＡなどのために）処理され、基地局１０５−ｐから受信された送信パラメータに従って、基地局１０５−ｐに送信され得る。基地局１０５−ｐにおいて、ＵＥ１１５−ｉからのＵＬ信号は、アンテナ１１３４によって受信され、基地局変調器／復調器１１３２によって処理され、適用可能な場合には、ＭＩＭＯ検出器１１３６によって検出され、受信プロセッサ１１３８によってさらに処理され得る。受信プロセッサ１１３８は、復号されたデータをデータ出力とプロセッサ１１４０とに与えることができる。メモリ１１４２がプロセッサ１１４０に結合され得る。プロセッサ１１４０は、現在のＴＤＤ  ＵＬ／ＤＬ構成および／または現在のＳＳＦ構成に従ってフレームフォーマッティングを実行することができる。干渉判断モジュール８２５−ａは、いくつかの実施形態では、１つまたは複数の近隣基地局のサブフレーム構成に基づいてＵＥ１１５−ｉにおける修正を必要とし得るＩＣ／ＩＳ動作を判断するおよびことができる。同様に先に論じられたように、ワイヤレス通信システム１１００は、複数のコンポーネントキャリア上での動作をサポートすることができ、コンポーネントキャリアの各々は、基地局１０５−ｐとＵＥ１１５−ｉとの間で送信される異なる周波数の波形信号を含む。複数のコンポーネントキャリアはＵＥ１１５−ｉと基地局１０５−ｐとの間でアップリンク送信とダウンリンク送信とを搬送することができ、基地局１０５−ｐは、複数のコンポーネントキャリア上での動作をサポートすることができ、これらの複数のコンポーネントキャリアは、各々異なるＴＤＤ構成を有し、したがって、各々異なるＩＣ／ＩＳ動作を有する場合がある。ＵＥ１１５−ｉの構成要素は、個別にまたは集合的に、ハードウェア中の適用可能な機能の一部または全部を実行するように構成された１つまたは複数の特定用途向け集積回路（ＡＳＩＣ）を用いて実現され得る。言及されたモジュールの各々は、ワイヤレス通信システム１１００の動作に関係する１つまたは複数の機能を実行するための手段であり得る。同様に、基地局１０５−ｐの構成要素は、個別にまたは集合的に、ハードウェア中の適用可能な機能の一部または全部を実行するように適用された１つまたは複数の特定用途向け集積回路（ＡＳＩＣ）を用いて実現され得る。言及された構成要素の各々は、ワイヤレス通信システム１１００の動作に関係する１つまたは複数の機能を実行するための手段であり得る。
【００７２】
[0085]図１２は、様々な実施形態による、ワイヤレス通信システムによって実行され得る方法１２００を示す。方法１２００は、たとえば、図１、図４〜９、もしくは図１１のＵＥによって、またはこれらの図に関して説明されたデバイスの任意の組合せを使用して実行され得る。最初に、ブロック１２０５において、ＵＥは、第１のサブフレーム構成の第１のサブフレームを基地局から受信する。たとえば、ＵＥは、ＴＤＤ  ＵＬ／ＤＬ構成のダウンリンクサブフレームのダウンリンク送信を受信し、または、ダウンリンク送信を受信することがあり、ＳＳＦの一部分である。ブロック１２１０において、ＵＥは、少なくとも１つの近隣基地局が第１のサブフレームの間に第２のサブフレーム構成に従って動作しているかどうか判断し、第２のサブフレーム構成は第１のサブフレーム構成とは異なる。たとえば、近隣基地局は、異なるＴＤＤ  ＵＬ／ＤＬ構成またはＳＳＦ構成に従って別のＵＥと通信している場合がある。近隣基地局のそのような通信は、同様に先に論じられたように、ＵＥにおける干渉を招くことがある。判断に基づいて、ＵＥは、ブロック１２１５に示されるように、サブフレーム内のダウンリンク送信のための干渉管理動作を修正することができる。判断は、いくつかの実施形態によれば、第１のサブフレームの送信の前または第１のサブフレームの送信中のいずれかに行われ得る。
【００７３】
[0086]先に論じられたように、ＩＣ／ＩＳ動作の修正は、様々な異なる技法のうち１つまたは複数を使用して成し遂げられ得、そのうちのいくつかの例は、図１３〜図１５に関連して説明される。最初に図１３を参照すると、様々な実施形態によりＵＥによって実行され得る１つの方法１３００が示されている。方法１３００は、たとえば、図１、図４〜９、もしくは図１１のＵＥによって、またはこれらの図に関して説明されたデバイスの任意の組合せを使用して実行され得る。同様に先に論じられたように、最初に、ブロック１３０５において、ＵＥは、第１のサブフレーム構成の第１のサブフレームにおいてダウンリンク送信を基地局から受信する。ブロック１３１０において、ＵＥは、少なくとも１つの近隣基地局が第１のサブフレームの間に第２のサブフレーム構成に従って動作しているかどうか判断し、第２のサブフレーム構成は第１のサブフレーム構成とは異なり、少なくともアップリンク部分を含む。たとえば、近隣基地局は、異なるＴＤＤ  ＵＬ／ＤＬ構成またはＳＳＦ構成に従って別のＵＥと通信している場合がある。判断は、いくつかの実施形態によれば、第１のサブフレームの送信の前または第１のサブフレームの送信中のいずれかに行われ得る。ブロック１３１５に示されるように、判断に基づいて、ＵＥは、第１のサブフレーム構成と異なるＵＬ／ＤＬ構成を有するサブフレームを識別する。ブロック１３２０において、ＵＥは、識別されたサブフレームに関連付けられたＩＣ／ＩＳ動作を省略することによって、ＩＣ／ＩＳ動作を修正する。識別されたサブフレームがＳＳＦであり、その一部分は異なるＵＬ／ＤＬ構成を有する場合、ＵＥは、ＳＳＦの識別された部分のためのＩＣ／ＩＳ動作を省略し、ＳＳＦの残りの部分のためのＩＣ／ＩＳ動作を実行することによって、ＩＣ／ＩＳ動作を修正することができる。いくつかの実施形態によれば、すべてのＴＤＤ構成上でのサブフレームの共通セットはＤＳＵｘｘＤｘｘｘｘであり、ここで、ｘは構成依存（アップリンクサブフレーム、ダウンリンクサブフレーム、または特殊サブフレーム）である。その結果、判断は、いくつかの実施形態では、フレーム内の残りの６つのサブフレーム（すなわち、構成依存サブフレーム）に対処するために限定されることがある。代替的には、いくつかの実施形態では、ｅＮＢに対する最大の柔軟性のために、判断は、（６つのサブフレームのみの代わりに）すべてのサブフレームに拡張されることがある。いくつかの実施形態では、判断は、干渉セルごとに、またはすべての干渉セルに対するＵＥごとに（これは、特定のＵＥのＵＬ干渉が著しいと考えられない際に有用な場合がある）、または干渉セルとＵＥとの間のどこかで、行われることがある。
【００７４】
[0087]先に言及されたように、いくつかの実施形態では、ＩＣ／ＩＳ動作は、ＳＳＦに対して修正され得る。いくつかの実施形態では、ＵＥは、５ｍｓ切替周期性と１０ｍｓ切替周期性の両方が存在する場合は、単にサブフレーム１および６を常に省略することができ、１０ｍｓ切替周期性のみが存在する場合は、サブフレーム１を常に省略することができる。そのような省略は示されても、あらかじめ判断されてもよく、場合によっては、ＵＥは、省略が可能にされるべきかどうか（たとえば、サービングセルと干渉セルが同じ構成である場合、省略はない。そうでない場合、省略する）も示されることがある。そのようなシグナリングは、干渉セルごとに、またはすべての干渉セルに対するＵＥごとに、または干渉セルとＵＥとの間のどこかで、行われることがある。
【００７５】
[0088]図１４は、特定の識別されたサブフレームのための干渉動作を修正する、様々な実施形態によるワイヤレス通信システムにおいてＵＥによって実行され得る別の方法１４００を示す。方法１４００は、たとえば、図１、図４〜９、もしくは図１１のＵＥによって、またはこれらの図に関して説明されたデバイスの任意の組合せを使用して実行され得る。同様に先に論じられたように、最初に、ブロック１４０５において、ＵＥは、第１のサブフレーム構成の第１のサブフレームにおいてダウンリンク送信を基地局から受信する。ブロック１４１０において、ＵＥは、第１のサブフレーム構成と異なるＵＬ／ＤＬ構成を有するサブフレームの識別情報を受信する。サブフレームのそのような識別情報は、たとえば、サービング基地局によって提供されることがあり、第１のサブフレーム構成と異なるＵＬ／ＤＬ構成を有するＳＳＦのサブフレームの識別情報および／または１つもしくは複数の部分の識別情報を含むことができる。いくつかの実施形態では、ＵＥは、識別されたサブフレームのみがＵＬ干渉を含むと想定することがあり、または代替的に、１つまたは複数の干渉セルのためのＵＬ干渉またはＤＬ干渉のいずれかを含むことがある。ここでも、すべてのＴＤＤ構成上でのサブフレームの共通セットはＤＳＵｘｘＤｘｘｘｘであり、ここで、ｘは構成依存（アップリンクサブフレーム、ダウンリンクサブフレーム、または特殊サブフレーム）であるので、指示は、いくつかの実施形態では、フレーム内の残る６つのサブフレーム（すなわち、構成依存サブフレーム）に対処するために限定されることもある。代替的には、いくつかの実施形態では、指示は、（６つのサブフレームのみの代わりに）すべてのサブフレームに拡張されることがある。同様に先に論じられるように、そのようなシグナリングは、干渉セルごとに、またはすべての干渉セルに対するＵＥごとに、または干渉セルとＵＥとの間のどこかで、行われることがある。その上、そのようなシグナリングは、暗黙的であってもよいし、明示的であってもよい。たとえば、暗黙的シグナリングは、１つまたは複数の干渉セルの対応するＤＬ／ＵＬサブフレーム構成を含むＵＥに提供されることがあり、次いで、ＵＥは、サブフレームがＤＬであるかＵＬであるか判断することができる。明示的なシグナリングは、サブフレームが１つまたは複数の干渉セルに対してＤＬ／ＵＬであるかどうか直接示す情報をＵＥに提供することができる。また、先に論じられたように、いくつかの実施形態によれば、ＵＥは、ＳＳＦのための干渉管理修正を実行することができ、ＵＥは、ＩＳ／ＩＣのための１つまたは複数の干渉セルのための特殊サブフレーム構成を示すためにシグナリングを受信することができる。
【００７６】
[0089]ブロック１４１５で示されているように、ＳＳＦのサブフレームすなわち一部分の識別情報に基づいて、ＵＥは、識別されたサブフレームのための干渉管理動作を修正する。識別されたサブフレームがＳＳＦであり、その一部分は異なるＵＬ／ＤＬ構成を有する場合、ＵＥは、ＳＳＦの識別された部分のためのＩＣ／ＩＳ動作を修正し、ＳＳＦの残りの部分のための標準的なＩＣ／ＩＳ動作を実行することができる。ＩＣ／ＩＳの修正は、たとえば、サブフレームまたはサブフレームの一部分の省略、上記で説明されたものなどの近隣基地局に関連する情報に基づいてＩＣ／ＩＳを修正することを含んでもよいし、修正されたサブフレームもしくはサブフレーム部分に関連付けられた提供される支援情報に基づいてもよい。
【００７７】
[0090]図１５は、様々な実施形態による、ワイヤレス通信システムの基地局によって実行され得る別の方法１５００を示す。方法１５００は、たとえば、図１、図４〜９、もしくは図１１のＵＥによって、またはこれらの図に関して説明されたデバイスの任意の組合せを使用して実行され得る。同様に先に論じられたように、最初に、ブロック１５０５において、ＵＥは、第１のサブフレーム構成の第１のサブフレームにおいてダウンリンク送信を基地局から受信する。ブロック１５１０において、ＵＥは、第１のサブフレーム構成と異なるＵＬ／ＤＬ構成を有するサブフレームを検出する。サブフレームのそのような検出は、たとえば、異なるＴＤＤ  ＵＬ／ＤＬ構成においてアップリンクからダウンリンクに変化し得るサブフレームのみの検出を含むことができる。たとえば、すべてのＴＤＤ構成上でのサブフレームの共通セットはＤＳＵｘｘＤｘｘｘｘであり、ここで、ｘは構成依存（アップリンクサブフレーム、ダウンリンクサブフレーム、または特殊サブフレーム）であるので、ブラインド検出は、残る６つのサブフレーム（すなわち、構成依存サブフレーム）のみに対して行われ得る。検出は、いくつかの実施形態では、干渉セルごとに、および／または残りのサブフレームのためのすべての干渉セルごとに一緒に、行われることがある。いくつかのさらなる実施形態では、ＵＥは、ＰＲＢごとにＤＬ  ＣＲＳ／ＵＥ−ＲＳをＵＬ  ＰＵＣＣＨ  ＤＭ−ＲＳ／ＰＵＳＣＨ  ＤＭ−ＲＳと比較することによってブラインド検出を実行することができる。サブフレーム内の物理セルまたは仮想セル（仮想セルＩＤによって表される）がダウンリンク送信またはアップリンク送信に関連付けられる場合、ＵＥは、いくつかの実施形態では、セルのサブフレーム全体が、同じサブフレーム内のセルの混合ダウンリンク／アップリンク送信ではなくダウンリンク送信またはアップリンク送信専用であると想定することができる。さらに別の実施形態では、ＵＥは、サービングセルとＩＳ／ＩＣのための１つまたは複数の干渉セルとの間のＤＬ／ＵＬサブフレーム構成は同じであると想定することができる。その上、いくつかの実施形態では、ＵＥは、１つまたは複数の干渉セルのための特殊サブフレーム構成をブラインド検出することができる。そのような実施形態では、特殊サブフレームのＵｐＰＴＳ部は、ＳＲＳおよび／またはＰＲＡＣＨを搬送することができる（ＰＲＡＣＨは、２つのＵｐＰＴＳシンボルが存在する場合のみ可能である）。他の実施形態では、ＵＥは、サービングセルとＩＳ／ＩＣのための１つまたは複数の干渉セルとの間で同じ特殊サブフレーム構造を想定することができる。さらなる実施形態では、ＳＳＦ  ＵＬ検出は、第１のサブフレーム構成と異なるＵＬ／ＤＬ構成を有するサブフレームの識別および／またはＳＳＦの１つまたは複数の部分の識別を含むことができる。
【００７８】
[0091]ブロック１５１５で示されているように、ＳＳＦのサブフレームすなわち一部分の検出に基づいて、ＵＥは、識別されたサブフレームのための干渉管理動作を修正する。識別されたサブフレームがＳＳＦであり、その一部分は異なるＵＬ／ＤＬ構成を有する場合、ＵＥは、ＳＳＦの識別された部分のためのＩＣ／ＩＳ動作を修正し、ＳＳＦの残りの部分のための標準的なＩＣ／ＩＳ動作を実行することができる。ＩＣ／ＩＳの修正は、たとえば、サブフレームまたはサブフレームの一部分の省略、上記で説明されたものなどの近隣基地局に関連する情報に基づいてＩＣ／ＩＳを修正することを含んでもよいし、修正されたサブフレームもしくはサブフレーム部分に関連付けられた提供される支援情報に基づいてもよい。
【００７９】
[0092]図１６は、様々な実施形態による、ワイヤレス通信システム内の基地局によって実行され得る方法１６００を示す。方法１６００は、たとえば、図１、図４〜９、もしくは図１１の基地局によって、またはこれらの図に関して説明されたデバイスの任意の組合せを使用して実行され得る。最初に、ブロック１６０５において、基地局は、少なくとも１つのＵＥに関連付けられた第１のサブフレームのための第１のサブフレーム構成を識別する。ブロック１６１０において、基地局は、近隣基地局が、第１のサブフレーム構成と異なる第１のサブフレームの間に第２のサブフレーム構成に従って動作していると判断する。次いで、ブロック１６１５に示されるように、基地局は、判断に基づいて、少なくとも第１のサブフレームのための干渉動作を修正することができる。ＩＣ／ＩＳ動作の修正は、たとえば、ＩＣ／ＩＳ動作のための上記で説明された修正のうち１つまたは複数を含むことができる。
【００８０】
[0093]この修正はＵＥに送信され得、次いで、ＵＥは、したがってＩＣ／ＩＳ動作を修正することができる。ＩＣ／ＩＳ動作を修正することは、少なくともＩＣ／ＩＳ修正のための第１のサブフレーム内のダウンリンク送信を識別する情報をＵＥに送信することを備える。いくつかの実施形態によれば、基地局は修正情報をＵＥに送信することができ、この修正情報としては、たとえば、サブフレームのサブセットを識別するビットマップがあり、ＩＣ／ＩＳ動作を修正することは、ビットマップにおいて識別されるサブフレームのためのＩＣ／ＩＳ動作を省略することを含む。いくつかの実施形態によれば、そのような情報としては、２つ以上の近隣基地局のための情報もあり得る。情報には、たとえば、近隣基地局のためのＴＤＤ  ＵＬ／ＤＬ構成の指示もあり得、ＵＬ干渉を含むサブフレームのサブセットのうち１つまたは複数は、近隣セルのためのＴＤＤ  ＵＬ／ＤＬ構成に基づいて判断され得る。
【００８１】
[0094]添付の図面に関して上記に記載した詳細な説明は、例示的な実施形態について説明しており、実現され得るか、または特許請求の範囲内にある実施形態のみを表すものではない。この説明全体にわたって使用する「例示的」という用語は、「例、事例、または例示の働きをすること」を意味し、「好ましい」または「他の実施形態よりも有利な」ことを意味しない。発明を実施するための形態は、説明された技法の理解を与えるために、具体的な詳細を含む。ただし、これらの技法は、これらの具体的な詳細なしに実施され得る。いくつかの事例では、説明された実施形態の概念を不明瞭にすることを避けるために、よく知られている構造およびデバイスがブロック図の形で示されている。
【００８２】
[0095]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００８３】
[0096]本明細書の開示に関して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【００８４】
[0097]本明細書で説明された機能は、ハードウェア、ソフトウェア／ファームウェア、またはそれらの組合せで実現され得る。ソフトウェア／ファームウェアで実現される場合、機能は、１つまたは複数の命令またはコードとしてコンピュータ可読媒体上に記憶されるか、あるいはコンピュータ可読媒体を介して送信され得る。他の例および実施態様は、本開示および添付の特許請求の範囲の範囲および趣旨内にある。たとえば、ソフトウェア／ファームウェアの性質により、上記で説明された機能は、たとえば、プロセッサ、ハードウェア、ハードワイヤリング、またはこれらの組合せによって実行されるソフトウェア／ファームウェアを使用して実現され得る。機能を実現する特徴はまた、機能の部分が、異なる物理的な場所において実現されるように分散されることを含めて、様々な位置に物理的に配置され得る。また、特許請求の範囲を含めて、本明細書で使用される場合、項目のリスト（たとえば、「〜のうち少なくとも１つ」または「〜のうち１つまたは複数」などの句で始められる項目のリスト）で使用される「または」は、たとえば、「Ａ、Ｂ、またはＣのうち少なくとも１つ」というリストがＡまたはＢまたはＣまたはＡＢまたはＡＣまたはＢＣまたはＡＢＣ（すなわち、ＡおよびＢおよびＣ）を意味するような選言的リストを示す。
【００８５】
[0098]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され、汎用もしくは専用コンピュータ、もしくは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−Ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００８６】
[0099]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明された例および設計に限定されるべきでなく、本明細書で開示される原理および新規の特徴に合致する最も広い範囲を与えられるべきである。
【図１】
2019083524.tif 000004
【図２】
2019083524.tif 000005
【図３】
2019083524.tif 000006
【図４】
2019083524.tif 000007
【図５】
2019083524.tif 000008
【図６】
2019083524.tif 000009
【図７】
2019083524.tif 000010
【図８】
2019083524.tif 000011
【図９】
2019083524.tif 000012
【図１０】
2019083524.tif 000013
【図１１】
2019083524.tif 000014
【図１２】
2019083524.tif 000015
【図１３】
2019083524.tif 000016
【図１４】
2019083524.tif 000017
【図１５】
2019083524.tif 000018
【図１６】
2019083524.tif 000019
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行されるワイヤレス通信のための方法であって、
第１のサブフレーム構成の第１のサブフレームを基地局から受信することと、
近隣基地局の基準信号を受信することと、
前記近隣基地局が前記受信された基準信号に関連付けられた情報に基づいて前記第１のサブフレームの間に近隣サブフレーム構成に従って動作していると判断すること、前記近隣サブフレーム構成は、前記第１のサブフレーム構成とは異なる、と、
前記近隣基地局が前記第１のサブフレームの間に前記近隣サブフレーム構成に従って動作しているとの前記判断に基づいて前記第１のサブフレームのための干渉除去／干渉抑圧（ＩＣ／ＩＳ）動作を修正することと、
第４のサブフレーム構成と同じである第３のサブフレーム構成に応じて、第３のサブフレームのためのＩＣ／ＩＳ動作を修正することと
を備える、方法。
【請求項２】
前記ＩＣ／ＩＳ動作を前記修正することは、前記第１のサブフレームの少なくとも一部分の間に少なくとも部分的に前記ＩＣ／ＩＳ動作を省略することを備える、請求項１に記載の方法。
【請求項３】
前記第１のサブフレーム構成は、ダウンリンクサブフレーム、アップリンクサブフレーム、または特殊サブフレームのうち１つであり、前記近隣サブフレーム構成は、前記ダウンリンクサブフレーム、前記アップリンクサブフレーム、または前記特殊サブフレームのうち１つである、請求項１に記載の方法。
【請求項４】
前記ＩＣ／ＩＳ動作が少なくとも部分的に省略されるべき１つまたは複数のサブフレームの少なくとも一部分を識別する情報を前記基地局から受信すること
をさらに備える、請求項１に記載の方法。
【請求項５】
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、請求項４に記載の方法。
【請求項６】
前記近隣基地局が前記近隣サブフレーム構成に従って動作していると前記判断することは、
少なくとも部分的に前記第１のサブフレームと重複する、前記近隣基地局のための近隣サブフレームがダウンリンク送信またはアップリンク送信のうちの１つまたは複数を備えるかどうか検出すること
を備える、請求項１に記載の方法。
【請求項７】
前記検出することは、
前記近隣基地局のための前記近隣サブフレームが前記基準信号に関連付けられた情報に少なくとも部分的に基づいてダウンリンク送信およびアップリンク送信のうちの１つまたは両方を備えるかどうか判断すること
を備える、請求項６に記載の方法。
【請求項８】
前記近隣基地局のリソースブロックと、前記近隣基地局のすべての送信されるサブフレームが前記リソースブロック内の情報に一致するという仮定とに少なくとも部分的に基づいて前記近隣サブフレーム構成を判断すること
をさらに備える、請求項６に記載の方法。
【請求項９】
前記第３のサブフレーム構成の前記第３のサブフレームを前記基地局から受信すること、前記第３のサブフレームは、第１の特殊サブフレーム（ＳＳＦ）を備える、と、
前記近隣基地局が前記第３のサブフレームの間に前記第４のサブフレーム構成に従って動作していると判断することと
をさらに備える、請求項１に記載の方法。
【請求項１０】
ＩＣ／ＩＳ動作を前記修正することは、前記第１のＳＳＦのための前記第３のサブフレームの少なくとも一部分の間に、少なくとも部分的に前記ＩＣ／ＩＳ動作を省略することを備える、請求項９に記載の方法。
【請求項１１】
第１のサブフレーム構成の第１のサブフレームを基地局から受信することと、
近隣基地局の基準信号を受信することと、
近隣基地局が前記第１のサブフレームの間に近隣サブフレーム構成に従って動作していると判断すること、前記近隣サブフレーム構成は、前記第１のサブフレーム構成とは異なる、と、
前記近隣基地局が前記第１のサブフレームの間に前記近隣サブフレーム構成に従って動作しているとの前記判断に基づいて前記第１のサブフレームのための干渉除去／干渉抑圧（ＩＣ／ＩＳ）動作を修正することと、
第４のサブフレーム構成と同じである第３のサブフレーム構成に応じて、第３のサブフレームのためのＩＣ／ＩＳ動作を修正することと
を行うためのユーザ機器（ＵＥ）のプロセッサによって実行可能なコードを備える、非一時的なコンピュータ可読媒体。
【請求項１２】
前記ＩＣ／ＩＳ動作を修正するための前記コードは、前記第１のサブフレームの少なくとも一部分の間に少なくとも部分的に前記ＩＣ／ＩＳ動作を省略するためのコードを備える、請求項１１に記載の非一時的なコンピュータ可読媒体。
【請求項１３】
前記第１のサブフレーム構成は、ダウンリンクサブフレーム、アップリンクサブフレーム、または特殊サブフレームのうち１つであり、前記近隣サブフレーム構成は、ダウンリンクサブフレーム、アップリンクサブフレーム、または特殊サブフレームのうち１つである、請求項１１に記載の非一時的なコンピュータ可読媒体。
【請求項１４】
前記ＩＣ／ＩＳ動作が少なくとも部分的に省略されるべき１つまたは複数のサブフレームの少なくとも一部分を識別する情報を前記基地局から受信すること
を行うための前記ＵＥの前記プロセッサによって実行可能なコードをさらに備える、請求項１１に記載の非一時的なコンピュータ可読媒体。
【請求項１５】
少なくとも部分的に前記第１のサブフレームと重複する、前記近隣基地局のための近隣サブフレームがダウンリンク送信およびアップリンク送信のうちの１つまたは両方を備えるかどうか検出すること
を行うための前記ＵＥの前記プロセッサによって実行可能なコードをさらに備える、請求項１１に記載の非一時的なコンピュータ可読媒体。
【請求項１６】
検出するための前記コードは、
前記基準信号に関連付けられた情報に基づいて、前記近隣基地局のための前記近隣サブフレームがダウンリンク送信およびアップリンク送信のうちの１つまたは両方を備えるかどうか判断すること
を行うための前記ＵＥの前記プロセッサによって実行可能なコードをさらに備える、請求項１５に記載の非一時的なコンピュータ可読媒体。
【請求項１７】
前記近隣基地局のリソースブロックと、前記近隣基地局のすべての送信されるサブフレームが前記リソースブロック内の情報に一致するという仮定とに少なくとも部分的に基づいて前記近隣サブフレーム構成を判断すること
を行うための前記ＵＥの前記プロセッサによって実行可能なコードをさらに備える、請求項１５に記載の非一時的なコンピュータ可読媒体。
【請求項１８】
前記第３のサブフレーム構成の前記第３のサブフレームを前記基地局から受信すること、前記第３のサブフレームは、第１の特殊サブフレーム（ＳＳＦ）を備える、と、
前記近隣基地局が前記第３のサブフレームの間に前記第４のサブフレーム構成に従って動作していると判断することと
を行うための前記ＵＥの前記プロセッサによって実行可能なコードをさらに備える、請求項１１に記載の非一時的なコンピュータ可読媒体。
【請求項１９】
ＩＣ／ＩＳ動作を前記修正することは、前記第１のＳＳＦのための前記第３のサブフレームの少なくとも一部分の間に少なくとも部分的に前記ＩＣ／ＩＳ動作を省略することを備える、請求項１８に記載の非一時的なコンピュータ可読媒体。
【請求項２０】
プロセッサと、
前記プロセッサと電子通信しているメモリ、前記メモリは、命令を具現化し、前記命令は、
第１のサブフレーム構成の第１のサブフレームを基地局から受信することと、
近隣基地局の基準信号を受信することと、
近隣基地局が前記受信された基準信号に関連付けられた情報に基づいて前記第１のサブフレームの間に近隣サブフレーム構成に従って動作していると判断すること、前記近隣サブフレーム構成は、前記第１のサブフレーム構成とは異なる、と、
前記近隣基地局が前記第１のサブフレームの間に前記近隣サブフレーム構成に従って動作しているとの前記判断に基づいて前記第１のサブフレームのための干渉除去／干渉抑圧（ＩＣ／ＩＳ）動作を修正することと、
第４のサブフレーム構成と同じである第３のサブフレーム構成に応じて、第３のサブフレームのためのＩＣ／ＩＳ動作を修正することと
を行うように前記プロセッサによって実行可能である、ワイヤレス通信のためのデバイス。
【請求項２１】
前記ＩＣ／ＩＳ動作を修正することは、前記第１のサブフレームの少なくとも一部分の間に少なくとも部分的に前記ＩＣ／ＩＳ動作を省略することを備える、請求項２０に記載のデバイス。
【請求項２２】
前記第１のサブフレーム構成は、ダウンリンクサブフレーム、アップリンクサブフレーム、または特殊サブフレームのうち１つであり、前記近隣サブフレーム構成は、ダウンリンクサブフレーム、アップリンクサブフレーム、または特殊サブフレームのうち１つである、請求項２０に記載のデバイス。
【請求項２３】
前記ＩＣ／ＩＳ動作が少なくとも部分的に省略されるべき１つまたは複数のサブフレームの少なくとも一部分を識別する情報を前記基地局から受信すること
を行うようにさらに実行可能である、請求項２０に記載のデバイス。
【請求項２４】
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、請求項２３に記載のデバイス。
【請求項２５】
前記近隣基地局が前記近隣サブフレーム構成に従って動作していると前記判断することを行う前記命令は、
少なくとも部分的に前記第１のサブフレームと重複する、前記近隣基地局のための近隣サブフレームがダウンリンク送信またはアップリンク送信のうち１つまたは複数を備えるかどうか検出すること
を行う命令を含む、請求項２０に記載のデバイス。
【請求項２６】
検出することを行う前記命令は、
前記近隣基地局のための前記近隣サブフレームが前記基準信号に関連付けられた情報に基づいてダウンリンク送信およびアップリンク送信のうちの１つまたは両方を備えるかどうか判断すること
を行う命令を含む、請求項２５に記載のデバイス。
【請求項２７】
前記近隣基地局のリソースブロックと、前記近隣基地局のすべての送信されるサブフレームが前記リソースブロック内の情報に一致するという仮定とに少なくとも部分的に基づいて前記近隣サブフレーム構成を判断すること
を行うようにさらに実行可能である、請求項２５に記載のデバイス。
【請求項２８】
基地局によって実行されるワイヤレス通信のための方法であって、
ユーザ機器（ＵＥ）に関連付けられた第１のサブフレームのための第１のサブフレーム構成を識別することと、
近隣基地局が前記第１のサブフレームの間に、近隣サブフレーム構成に従って動作していると判断すること、前記近隣サブフレーム構成は、前記第１のサブフレーム構成とは異なる、と、
前記ＵＥに情報を送信すること、前記情報は、サブフレームのサブセットを識別するビットマップを備える、と、
前記近隣基地局が前記第１のサブフレームの間に前記近隣サブフレーム構成に従って動作しているとの前記判断に基づいて前記第１のサブフレームのための干渉除去／干渉抑圧（ＩＣ／ＩＳ）動作を修正すること、ここにおいて、ＩＣ／ＩＳ動作を修正することは、と、前記第１のサブフレームの少なくとも一部分の間に、少なくとも部分的に前記ＩＣ／ＩＳ動作を省略することを備える、と
を備える方法。
【手続補正２】
【補正対象書類名】明細書
【補正対象項目名】００８６
【補正方法】変更
【補正の内容】
【００８６】
[0099]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ユーザ機器（ＵＥ）によって実行されるワイヤレス通信のための方法であって、
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を備える方法。
［Ｃ２］
干渉管理動作を前記修正することは、前記第１のサブフレームの少なくとも一部分の間に少なくとも部分的に前記干渉管理動作を省略することを備える、［Ｃ１］に記載の方法。
［Ｃ３］
前記第１のサブフレーム構成は、ダウンリンクサブフレーム、アップリンクサブフレーム、または特殊サブフレームのうち１つであり、前記第２のサブフレーム構成は、前記ダウンリンクサブフレーム、前記アップリンクサブフレーム、または前記特殊サブフレームのうち１つである、［Ｃ１］に記載の方法。
［Ｃ４］
前記干渉管理動作が少なくとも部分的に省略されるべき１つまたは複数のサブフレームの少なくとも一部分を識別する情報を前記基地局から受信すること
をさらに備える、［Ｃ１］に記載の方法。
［Ｃ５］
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、［Ｃ４］に記載の方法。
［Ｃ６］
前記判断することは、
少なくとも部分的に前記第１のサブフレームと重複する、前記近隣基地局のための第２のサブフレームがダウンリンク送信またはアップリンク送信のうち１つまたは複数を備えるかどうか検出すること
を備える、［Ｃ１］に記載の方法。
［Ｃ７］
前記検出することは、
前記近隣基地局の基準信号を受信することと、
前記基準信号に関連付けられた情報に基づいて、前記近隣基地局のための前記第２のサブフレームがダウンリンク送信および／またはアップリンク送信を備えるかどうか判断することと
を備える、［Ｃ６］に記載の方法。
［Ｃ８］
前記第２のサブフレーム構成は、前記近隣基地局のリソースブロックと、前記近隣基地局のすべての送信されるサブフレームが前記リソースブロック内の情報に一致するという仮定とに基づいて判断される、［Ｃ６］に記載の方法。
［Ｃ９］
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
をさらに備える、［Ｃ１］に記載の方法。
［Ｃ１０］
干渉管理動作を前記修正することは、前記ＳＳＦのための前記第３のサブフレームの少なくとも一部分の間に少なくとも部分的に前記干渉管理動作を省略することを備える、［Ｃ９］に記載の方法。
［Ｃ１１］
第１のサブフレーム構成の第１のサブフレームを基地局から受信することと、
近隣基地局が前記第１のサブフレームの間に第２のサブフレーム構成に従って動作しているかどうか判断することと、前記第２のサブフレーム構成は前記第１のサブフレーム構成とは異なる、
前記判断に基づいて、前記第１のサブフレームのための干渉管理動作を修正することと
を行うためのコードを備える、非一時的なコンピュータ可読媒体。
［Ｃ１２］
干渉管理動作を修正するための前記コードは、前記第１のサブフレームの少なくとも一部分の間に少なくとも部分的に前記干渉管理動作を省略するためのコードを備える、［Ｃ１１］に記載のコンピュータプログラム製品。
［Ｃ１３］
前記第１のサブフレーム構成は、ダウンリンクサブフレーム、アップリンクサブフレーム、または特殊サブフレームのうち１つであり、前記第２のサブフレーム構成は、ダウンリンクサブフレーム、アップリンクサブフレーム、または特殊サブフレームのうち１つである、［Ｃ１１］に記載のコンピュータプログラム製品。
［Ｃ１４］
前記干渉管理動作が少なくとも部分的に省略されるべき１つまたは複数のサブフレームの少なくとも一部分を識別する情報を前記基地局から受信すること
をさらに備える、［Ｃ１１］に記載のコンピュータ可読媒体。
［Ｃ１５］
少なくとも部分的に前記第１のサブフレームと重複する、前記近隣基地局のための第２のサブフレームがダウンリンク送信またはアップリンク送信のうち１つまたは複数を備えるかどうか検出する
ためのコードをさらに備える、［Ｃ１１］に記載のコンピュータ可読媒体。
［Ｃ１６］
検出するための前記コードは、
前記近隣基地局の基準信号を受信し、
前記基準信号に関連付けられた情報に基づいて、前記近隣基地局のための前記第２のサブフレームがダウンリンク送信および／またはアップリンク送信を備えるかどうか判断する
ためのコードをさらに備える、［Ｃ１５］に記載のコンピュータ可読媒体。
［Ｃ１７］
前記第２のサブフレーム構成は、前記近隣基地局のリソースブロックと、前記近隣基地局のすべての送信されるサブフレームが前記リソースブロック内の情報に一致するという仮定とに基づいて判断される、［Ｃ１５］に記載のコンピュータ可読媒体。
［Ｃ１８］
第３のサブフレーム構成の第３のサブフレームを前記基地局から受信することと、前記第３のサブフレームは第１の特殊サブフレーム（ＳＳＦ）を備える、
前記近隣基地局が前記第３のサブフレームの間に第４のサブフレーム構成に従って動作していると判断することと、
前記第４のサブフレーム構成と同じである前記第３のサブフレーム構成に応じて、前記第３のサブフレームのための前記干渉管理動作を修正することと
を行うためのコードをさらに備える、［Ｃ１１］に記載のコンピュータ可読媒体。
［Ｃ１９］
干渉管理動作を前記修正することは、前記ＳＳＦのための前記第３のサブフレームの少なくとも一部分の間に少なくとも部分的に前記干渉管理動作を省略することを備える、［Ｃ１８］に記載のコンピュータ可読媒体。
［Ｃ２０］
第１のサブフレーム構成の第１のサブフレームを基地局から受信するための手段と、
近隣基地局が前記第１のサブフレームの間に第２のサブフレーム構成に従って動作しているかどうか判断するための手段と、前記第２のサブフレーム構成は前記第１のサブフレーム構成とは異なる、
前記判断に基づいて、前記第１のサブフレームのための干渉管理動作を修正するための手段と
を備える、ワイヤレス通信のための装置。
［Ｃ２１］
干渉管理動作を修正するための前記手段は、前記第１のサブフレームの少なくとも一部分の間に少なくとも部分的に前記干渉管理動作を省略するための手段を備える、［Ｃ２０］に記載の装置。
［Ｃ２２］
前記第１のサブフレーム構成は、ダウンリンクサブフレーム、アップリンクサブフレーム、または特殊サブフレームのうち１つであり、前記第２のサブフレーム構成は、ダウンリンクサブフレーム、アップリンクサブフレーム、または特殊サブフレームのうち１つである、［Ｃ２０］に記載の装置。
［Ｃ２３］
前記干渉管理動作が少なくとも部分的に省略されるべき１つまたは複数のサブフレームの少なくとも一部分を識別する情報を前記基地局から受信するための手段
をさらに備える、［Ｃ２０］に記載の装置。
［Ｃ２４］
前記情報は、前記近隣基地局のための時分割二重（ＴＤＤ）アップリンク／ダウンリンク（ＵＬ／ＤＬ）構成の指示を備え、干渉を含むサブフレームのサブセットは、前記近隣基地局のための前記ＴＤＤ  ＵＬ／ＤＬ構成に基づいて判断される、［Ｃ２３］に記載の装置。
［Ｃ２５］
少なくとも部分的に前記第１のサブフレームと重複する、前記近隣基地局のための第２のサブフレームがダウンリンク送信またはアップリンク送信のうち１つまたは複数を備えるかどうか検出するための手段
をさらに備える、［Ｃ２０］に記載の装置。
［Ｃ２６］
検出するための前記手段は、
前記近隣基地局の基準信号を受信するための手段と、
前記基準信号に関連付けられた情報に基づいて、前記近隣基地局のための前記第２のサブフレームがダウンリンク送信および／またはアップリンク送信を備えるかどうか判断するための手段と
を備える、［Ｃ２５］に記載の装置。
［Ｃ２７］
前記第２のサブフレーム構成は、前記近隣基地局のリソースブロックと、前記近隣基地局のすべての送信されるサブフレームが前記リソースブロック内の情報に一致するという仮定とに基づいて判断される、［Ｃ２５］に記載の装置。
［Ｃ２８］
基地局によって実行されるワイヤレス通信のための方法であって、
ユーザ機器（ＵＥ）に関連付けられた第１のサブフレームのための第１のサブフレーム構成を識別することと、
近隣基地局が前記第１のサブフレームの間に、前記第１のサブフレーム構成とは異なる第２のサブフレーム構成に従って動作していると判断することと、
前記判断に基づいて、前記第１のサブフレームのための干渉動作を修正することと
を備える方法。
［Ｃ２９］
干渉管理動作を前記修正することは、干渉管理修正のための前記第１のサブフレームを識別する情報を前記ＵＥに送信することを備える、［Ｃ２８］に記載の方法。
［Ｃ３０］
前記情報は、サブフレームのサブセットを識別するビットマップを備え、干渉管理動作を前記修正することは、前記第１のサブフレームの少なくとも一部分の間に少なくとも部分的に前記干渉管理動作を省略することを備える、［Ｃ２９］に記載の方法。
【外国語明細書】
2019083524000001.pdf